(57)【要約】【課題】より簡単に、画像の見た目の印象を良くする。【解決手段】画像送信装置は、利用者を被写体として撮影し、撮影画像を生成し、矩形形状の撮影画像に対して利用者に編集入力を行わせ、編集が施された編集済み画像を生成し、撮影画像および／または編集済み画像を、サーバに送信する。サーバは、画像送信装置から送信された撮影画像および／または編集済み画像を受信する。そして、画像提供装置またはサーバは、撮影画像および／または編集済み画像に対して面取り加工を施した面取り画像を生成する。本発明は、例えば、写真シール作成装置を含む画像提供システムに適用することができる。【選択図】図１８
2015035773.tif 000002
【特許請求の範囲】
【請求項１】
ネットワークを介して画像を送信する画像送信装置と、前記画像送信装置から送信された前記画像を受信するサーバとからなる画像提供システムであって、
前記画像送信装置は、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および／または前記編集済み画像を、前記サーバに送信する送信手段と
を備え、
前記サーバは、
前記画像送信装置から送信された前記撮影画像および／または前記編集済み画像を受信する受信手段
を備え、
前記画像提供装置または前記サーバは、
前記撮影画像および／または前記編集済み画像に対して面取り加工を施した面取り画像を生成する加工処理手段をさらに備える
画像提供システム。
【請求項２】
ネットワークを介して画像送信装置から送信された矩形形状の画像を受信し、携帯端末に提供する画像提供装置であって、
前記画像送信装置から送信された前記画像を受信する受信手段と、
受信された前記画像に対して面取り加工を施した面取り画像を生成する加工処理手段と、
前記携帯端末からの要求に応じて、前記面取り画像を前記携帯端末に提供する提供手段と
を備える画像提供装置。
【請求項３】
前記加工処理手段は、複数の前記画像に対して面取り加工を施した複数の前記面取り画像を一括して生成する
請求項２に記載の画像提供装置。
【請求項４】
前記加工処理手段は、前記携帯端末からの要求の度に、前記画像に対して面取り加工を施した前記面取り画像を生成する
請求項２に記載の画像提供装置。
【請求項５】
前記提供手段は、前記携帯端末からの要求に応じて、前記面取り画像、および、面取り加工が施される前の前記画像のいずれかを前記携帯端末に提供する
請求項２乃至４のいずれかに記載の画像提供装置。
【請求項６】
ネットワークを介して画像送信装置から送信された矩形形状の画像を受信し、携帯端末に提供する画像提供装置の画像提供方法であって、
前記画像送信装置から送信された前記画像を受信し、
受信された前記画像に対して面取り加工を施した面取り画像を生成し、
前記携帯端末からの要求に応じて、前記面取り画像を前記携帯端末に提供する
ステップを含む画像提供方法。
【請求項７】
ネットワークを介して画像送信装置から送信された矩形形状の画像を受信し、携帯端末に提供する処理を制御するコンピュータに、
前記画像送信装置から送信された前記画像を受信し、
受信された前記画像に対して面取り加工を施した面取り画像を生成し、
前記携帯端末からの要求に応じて、前記面取り画像を前記携帯端末に提供する
ステップを含む処理を実行させるプログラム。
【請求項８】
ネットワークを介して受信した画像を携帯端末に提供するサーバに、前記画像を生成して送信する画像生成装置であって、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および前記編集済み画像の少なくともいずれかに対して面取り加工を施した面取り画像を生成する加工処理手段と、
前記撮影画像、前記編集済み画像、および前記面取り画像の少なくともいずれかを、前記サーバに送信する送信手段と
を備える画像生成装置。
【請求項９】
前記加工処理手段は、複数の前記撮影画像または複数の前記編集済み画像に対して面取り加工を施した複数の前記面取り画像を一括して生成する
請求項８に記載の画像生成装置。
【請求項１０】
前記撮影処理手段は、撮影時に、前記撮影画像に対して面取り加工を施した前記面取り画像を動画像としてリアルタイムで表示する
請求項８または９に記載の画像生成装置。
【請求項１１】
前記編集処理手段は、編集入力時に、前記撮影画像に対して面取り加工を施した前記面取り画像を、編集入力の対象となる編集対象画像として表示する
請求項８または９に記載の画像生成装置。
【請求項１２】
前記撮影画像または前記編集済み画像を、シール紙に印刷される印刷画像として印刷する印刷処理手段をさらに備え、
前記印刷処理手段は、前記撮影画像または前記編集済み画像に対して面取り加工を施した前記面取り画像を、前記印刷画像として前記シール紙に印刷する
請求項８または９に記載の画像生成装置。
【請求項１３】
前記加工処理手段は、前記面取り画像として、前記撮影画像または前記編集済み画像のサイズに応じた半径の角丸を有する角丸画像を生成する
請求項８乃至１２のいずれかに記載の画像生成装置。
【請求項１４】
前記加工処理手段は、前記面取り画像として、前記撮影画像または前記編集済み画像の縦横比に応じた半径の角丸を有する角丸画像を生成する
請求項１３に記載の画像生成装置。
【請求項１５】
ネットワークを介して受信した画像を携帯端末に提供するサーバに、前記画像を生成して送信する画像生成装置の画像生成方法であって、
利用者を被写体として撮影し、矩形形状の撮影画像を生成し、
前記撮影画像に対して前記利用者に編集入力を行わせ、編集が施された編集済み画像を生成し、
前記撮影画像および前記編集済み画像の少なくともいずれかに対して面取り加工を施した面取り画像を生成し、
前記撮影画像、前記編集済み画像、および前記面取り画像の少なくともいずれかを、前記サーバに送信する
ステップを含む画像生成方法。
【請求項１６】
ネットワークを介して受信した画像を携帯端末に提供するサーバに、前記画像を生成して送信する処理を制御するコンピュータに、
利用者を被写体として撮影し、矩形形状の撮影画像を生成し、
前記撮影画像に対して前記利用者に編集入力を行わせ、編集が施された編集済み画像を生成し、
前記撮影画像および前記編集済み画像の少なくともいずれかに対して面取り加工を施した面取り画像を生成し、
前記撮影画像、前記編集済み画像、および前記面取り画像の少なくともいずれかを、前記サーバに送信する
ステップを含む処理を実行させるプログラム。
【発明の詳細な説明】
【技術分野】
【０００１】
本発明は、画像提供システム、画像提供装置および方法、画像生成装置および方法、並びにプログラムに関し、特に、画像の見た目の印象を良くすることができるようにする画像提供システム、画像提供装置および方法、画像生成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って撮影画像を編集し、編集後の画像である編集済み画像をシール紙に印刷して排出するという流れになる。
【０００４】
近年の写真シール機においては、携帯電話機等の携帯端末の普及と、その機能向上に伴って、携帯端末と連動させた付加的なサービスが提供されている。このようなサービスとしては、例えば、写真シール機から撮影画像や編集済み画像を携帯端末に直接転送するサービスや、写真シール機から撮影画像や編集済み画像をサーバにアップロードし、そのサーバにより提供されるウェブサイトに携帯端末からアクセスすることで、アップロードされた撮影画像や編集済み画像を、携帯端末で閲覧可能としたり、携帯端末にダウンロードさせたりするサービスがある。
【０００５】
このようなサービスの提供を受けた利用者の中には、ダウンロードした画像を、例えば、携帯電話機に保存して好きな時に閲覧したり、携帯電話機の待受け画面に表示されるように設定する等して、個人で楽しむ利用者の他、個人のブログやSNS（Social Networking Service）、自己紹介ページであるプロフ（プロフィールサイト）等のウェブサイト上で公開して、友人や仲間と共有して楽しむ利用者がいる。
【０００６】
このようなサービスを実現するシステムとしては、写真シール機が、複数の画像を並べて１枚の画像として表示する連結が行われたつなぎプリを作成し、サーバが、写真シール機において作成されたつなぎプリを保存し、利用者の携帯電話機からの要求に応じて、そのつなぎプリに対して、横倒ししたり、画像サイズを縮小して縦横比を揃えるためのフレーム画像と合成したり、利用者に要求された位置で部分画像を切り抜いたりする等の編集を行ってから、そのつなぎプリを携帯電話機に提供するシステムが開示されている（特許文献１参照）。
【０００７】
ところで、近年、画像に対して様々な加工処理を施すツールが公開されているウェブサイトが知られている。画像の見た目の印象を良くするための加工処理の１つとして、画像の角を丸くする角丸加工がある。利用者は、角丸加工を施すツールにおいて、角丸の割合を指定することで、所望の角丸画像を作成することができる。
【０００８】
写真シール機においては、撮影画像に、矩形形状の四隅を丸くしたフレーム画像（角丸フレーム画像）を合成することで、撮影画像を角丸画像にすることができる。
【先行技術文献】
【特許文献】
【０００９】
【特許文献１】特開２００７−１９４７３４号公報
【発明の概要】
【発明が解決しようとする課題】
【００１０】
特許文献１には、角丸画像を作成することは開示されておらず、携帯電話機にダウンロードした画像から角丸画像を作成するには、ウェブサイト上の角丸加工を施すツールを用いる必要があった。
【００１１】
しかしながら、写真シール機における１回のゲームの中で撮影され、携帯電話機にダウンロードされる画像は複数枚であることが多いため、これらの画像について角丸画像を作成する場合、上述したツールでは、それぞれの画像毎に角丸加工を施す作業が必要であり、これは利用者にとって手間のかかるものであった。
【００１２】
また、撮影画像に角丸フレーム画像を合成することができる写真シール機においても、複数のフレーム画像の中から、角丸フレーム画像を選択し、撮影画像毎に合成する必要があり、これもまた利用者にとって面倒であった。
【００１３】
本発明は、このような状況に鑑みてなされたものであり、より簡単に、画像の見た目の印象を良くすることができるようにするものである。
【課題を解決するための手段】
【００１４】
本発明の第１の側面の画像提供システムは、ネットワークを介して画像を送信する画像送信装置と、前記画像送信装置から送信された前記画像を受信するサーバとからなる画像提供システムであって、前記画像送信装置が、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および／または前記編集済み画像を、前記サーバに送信する送信手段とを備え、前記サーバが、前記画像送信装置から送信された前記撮影画像および／または前記編集済み画像を受信する受信手段を備え、前記画像提供装置または前記サーバが、前記撮影画像および／または前記編集済み画像に対して面取り加工を施した面取り画像を生成する加工処理手段をさらに備える。
【００１５】
本発明の第１の側面においては、利用者が被写体として撮影され、矩形形状の撮影画像が生成され、撮影画像に対して利用者に編集入力を行わせ、編集が施された編集済み画像が生成され、撮影画像および／または編集済み画像が、サーバに送信され、画像送信装置から送信された撮影画像および／または編集済み画像が受信され、撮影画像および／または編集済み画像に対して面取り加工を施した面取り画像が生成される。
【００１６】
本発明の第２の側面の画像提供装置は、ネットワークを介して画像送信装置から送信された矩形形状の画像を受信し、携帯端末に提供する画像提供装置であって、前記画像送信装置から送信された前記画像を受信する受信手段と、受信された前記画像に対して面取り加工を施した面取り画像を生成する加工処理手段と、前記携帯端末からの要求に応じて、前記面取り画像を前記携帯端末に提供する提供手段とを備える。
【００１７】
前記加工処理手段には、複数の前記画像に対して面取り加工を施した複数の前記面取り画像を一括して生成させることができる。
【００１８】
前記加工処理手段には、前記携帯端末からの要求の度に、前記画像に対して面取り加工を施した前記面取り画像を生成させることができる。
【００１９】
前記提供手段には、前記携帯端末からの要求に応じて、前記面取り画像、および、面取り加工が施される前の前記画像のいずれかを前記携帯端末に提供させることができる。
【００２０】
本発明の第２の側面の画像提供方法は、ネットワークを介して画像送信装置から送信された矩形形状の画像を受信し、携帯端末に提供する画像提供装置の画像提供方法であって、前記画像送信装置から送信された前記画像を受信し、受信された前記画像に対して面取り加工を施した面取り画像を生成し、前記携帯端末からの要求に応じて、前記面取り画像を前記携帯端末に提供するステップを含む。
【００２１】
本発明の第２の側面のプログラムは、ネットワークを介して画像送信装置から送信された矩形形状の画像を受信し、携帯端末に提供する処理を制御するコンピュータに、前記画像送信装置から送信された前記画像を受信し、受信された前記画像に対して面取り加工を施した面取り画像を生成し、前記携帯端末からの要求に応じて、前記面取り画像を前記携帯端末に提供するステップを含む処理を実行させる。
【００２２】
本発明の第２の側面においては、画像送信装置から送信された画像が受信され、受信された画像に対して面取り加工を施した面取り画像が生成され、携帯端末からの要求に応じて、面取り画像が携帯端末に提供される。
【００２３】
本発明の第３の側面の画像生成装置は、ネットワークを介して受信した画像を携帯端末に提供するサーバに、前記画像を生成して送信する画像生成装置であって、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および前記編集済み画像の少なくともいずれかに対して面取り加工を施した面取り画像を生成する加工処理手段と、前記撮影画像、前記編集済み画像、および前記面取り画像の少なくともいずれかを、前記サーバに送信する送信手段とを備える。
【００２４】
前記加工処理手段には、複数の前記撮影画像または複数の前記編集済み画像に対して面取り加工を施した複数の前記面取り画像を一括して生成させることができる。
【００２５】
前記撮影処理手段には、撮影時に、前記撮影画像に対して面取り加工を施した前記面取り画像を動画像としてリアルタイムで表示させることができる。
【００２６】
前記編集処理手段には、編集入力時に、前記撮影画像に対して面取り加工を施した前記面取り画像を、編集入力の対象となる編集対象画像として表示させることができる。
【００２７】
前記撮影画像または前記編集済み画像を、シール紙に印刷される印刷画像として印刷する印刷処理手段をさらに設け、前記印刷処理手段には、前記撮影画像または前記編集済み画像に対して面取り加工を施した前記面取り画像を、前記印刷画像として前記シール紙に印刷させることができる。
【００２８】
前記加工処理手段には、前記面取り画像として、前記撮影画像または前記編集済み画像のサイズに応じた半径の角丸を有する角丸画像を生成させることができる。
【００２９】
前記加工処理手段には、前記面取り画像として、前記撮影画像または前記編集済み画像の縦横比に応じた半径の角丸を有する角丸画像を生成させることができる。
【００３０】
本発明の第３の側面の画像生成方法は、ネットワークを介して受信した画像を携帯端末に提供するサーバに、前記画像を生成して送信する画像生成装置の画像生成方法であって、利用者を被写体として撮影し、矩形形状の撮影画像を生成し、前記撮影画像に対して前記利用者に編集入力を行わせ、編集が施された編集済み画像を生成し、前記撮影画像および前記編集済み画像の少なくともいずれかに対して面取り加工を施した面取り画像を生成し、前記撮影画像、前記編集済み画像、および前記面取り画像の少なくともいずれかを、前記サーバに送信するステップを含む。
【００３１】
本発明の第３の側面のプログラムは、ネットワークを介して受信した画像を携帯端末に提供するサーバに、前記画像を生成して送信する処理を制御するコンピュータに、利用者を被写体として撮影し、矩形形状の撮影画像を生成し、前記撮影画像に対して前記利用者に編集入力を行わせ、編集が施された編集済み画像を生成し、前記撮影画像および前記編集済み画像の少なくともいずれかに対して面取り加工を施した面取り画像を生成し、前記撮影画像、前記編集済み画像、および前記面取り画像の少なくともいずれかを、前記サーバに送信するステップを含む処理を実行させる。
【００３２】
本発明の第３の側面においては、利用者が被写体として撮影され、矩形形状の撮影画像が生成され、撮影画像に対して利用者に編集入力を行わせ、編集が施された編集済み画像が生成され、撮影画像および編集済み画像の少なくともいずれかに対して面取り加工を施した面取り画像が生成され、撮影画像、編集済み画像、および面取り画像の少なくともいずれかが、サーバに送信される。
【発明の効果】
【００３３】
本発明によれば、より簡単に、画像の見た目の印象を良くすることが可能となる。
【図面の簡単な説明】
【００３４】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】床材の平面図である。
【図８】事後接客部の構成例を示す図である。
【図９】写真シール作成装置の内部の構成例を示すブロック図である。
【図１０】制御部の機能構成例を示すブロック図である。
【図１１】面取り画像の生成について説明する図である。
【図１２】面取り画像の例を示す図である。
【図１３】写真シール作成ゲーム処理の流れの例を説明するフローチャートである。
【図１４】ライブビュー表示画面の例を示す図である。
【図１５】編集画面の例を示す図である。
【図１６】シール紙の例を示す図である。
【図１７】シール紙の他の例を示す図である。
【図１８】画像提供システムの構成例を示すブロック図である。
【図１９】サーバのハードウェア構成例を示すブロック図である。
【図２０】サーバの機能構成例を示すブロック図である。
【図２１】携帯端末の機能構成例を示すブロック図である。
【図２２】画像提供システムの一連の処理について説明するフローチャートである。
【図２３】画像提供処理の例について説明するフローチャートである。
【図２４】保存される画像について説明する図である。
【図２５】画像提供処理の他の例について説明するフローチャートである。
【図２６】保存される画像について説明する図である。
【図２７】携帯端末の画面表示例を示す図である。
【図２８】携帯端末の画面表示例を示す図である。
【発明を実施するための形態】
【００３５】
以下、本発明を適用した具体的な実施の形態について、図面を参照しながら詳細に説明する。
【００３６】
［写真シール作成装置の外観構成］
図１は、写真シール作成装置１の外観の構成例を示す斜視図である。
【００３７】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人以上等の複数人である。
【００３８】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００３９】
図１に示すように、写真シール作成装置１は、基本的に、撮影ユニット１１と編集ユニット１２が接した状態で設置されることによって構成される。
【００４０】
撮影ユニット１１は、撮影部２１と背景部２２から構成される。撮影部２１と背景部２２は所定の距離だけ離れて設置され、撮影部２１と背景部２２の間に形成される空間が、撮影処理を行う撮影空間となる。
【００４１】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００４２】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００４３】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において、連結部２３Ｂ’（図８）によって連結される。
【００４４】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００４５】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテン（以下、クロマキー用カーテンという）を下ろす。背景カーテンユニット２５による背景カーテンの上げ下ろしは、例えば撮影コースに応じて行われる。
【００４６】
なお、クロマキー用カーテンを予め撮影空間の背面となる背面パネル５１に張り付けるようにしてもよい。クロマキー用カーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００４７】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００４８】
編集ユニット１２は、撮影画像の編集処理を行う装置である。編集ユニット１２は、一方の側面が撮影部２１の背面に接するように撮影ユニット１１に連結して設けられる。
【００４９】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００５０】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００５１】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００５２】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００５３】
図２は、写真シール作成装置１の他の斜視図である。
【００５４】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００５５】
ここで、写真シール作成ゲームの流れと、それに伴う利用者の移動について説明する。図３は、写真シール作成装置１を上から見た平面図である。
【００５６】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００５７】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５８】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００５９】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００６０】
画像の印刷が終了したとき、利用者は、編集ユニット１２の右側面に設けられた排出口からシール紙を受け取り、一連の写真シール作成ゲームを終えることになる。
【００６１】
次に、各装置の構成について説明する。
【００６２】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００６３】
正面パネル４２の中央には、上底：下底の比を略１：５とし、下底の長さが正面パネル４２の横幅と同じ長さの等脚台形を上下逆様にした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００６４】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００６５】
カメラ１０１の上に設けられた正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００６６】
なお、正面ストロボ１０２の発光面として設けられる乳白アクリル板としては、透明度の高いものが用いられる。これにより、正面ストロボ１０２の発光による光の拡散度合いを、乳白アクリル板として透明度の低いものを用いた場合と比べて抑えることができ、利用者に対してより多くの光を照射することができる。
【００６７】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー画像）や撮影画像が表示される。
【００６８】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００６９】
ベース部４３の中央には利用者の下半身および足元を照射する足元ストロボ１１２が設けられ、足元ストロボ１１２の垂直面の右側には、利用者が硬貨を入れる硬貨投入返却口１１４が設けられる。
【００７０】
ベース部４３の上面には、足元ストロボ１１２の上面を挟んでスペース１１３Ａ，１１３Ｂが左右に形成される。スペース１１３Ａ，１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００７１】
［背景部の構成］
図５は、背景部２２の撮影空間Ａ１側の構成例を示す図である。
【００７２】
上述したように、背面パネル５１の上方には背景カーテンユニット２５が設けられる。
【００７３】
背面パネル５１の、出入り口Ｇ１側（図中、左側）の上方には、撮影空間Ａ１内で撮影処理を行っている利用者を右後方から照射する背面右ストロボ１２１が取り付けられる。また、背面パネル５１の、出入り口Ｇ２側（図中、右側）の上方には、撮影空間Ａ１内で撮影処理を行っている利用者を左後方から照射する背面左ストロボ１２２が取り付けられる。
【００７４】
さらに、背面パネル５１の撮影空間Ａ１側（図中、手前側）の面には、背面カーテン１２３が張り付けられる。背面カーテン１２３の色は、ファッション雑誌等のモデルの撮影が行われるスタジオ等と同様に、白色系の色とされる。これにより、撮影によって得られる撮影画像において、被写体の背景に影がつきやすくなり、立体感が強調されるようになる。ここで、白色系の色には、白色はもちろん、白色に近い色（具体的には、白色に近いグレーや、白色に近い青みがかったグレーなどといった色）も含まれるものとする。
【００７５】
本発明の写真シール作成装置１による写真シール作成ゲームにおいては、後述するように、クロマキー処理を施すための撮影（クロマキー撮影）と、クロマキー処理を施さない撮影とが行われるので、背面カーテン１２３の色とクロマキー用カーテンの色とを異なる色にすることで、それぞれの目的にあった撮影を行うことができる。
【００７６】
［編集ユニットの構成］
図６は、編集ユニット１２の正面側（編集空間Ａ２−１側）の構成例を示す図である。
【００７７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７８】
タブレット内蔵モニタ１３１は、タッチペン１３２Ａまたはタッチペン１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７９】
図７、図８は、編集ユニット１２の右側面の構成例を示す図である。
【００８０】
編集ユニット１２の右側面にはタブレット内蔵モニタ１６１が設けられる。タブレット内蔵モニタ１６１には、事後接客機能を利用するときに用いられる画面が表示される。
【００８１】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００８２】
［写真シール作成装置の内部構成］
図９は、写真シール作成装置１の内部の構成例を示すブロック図である。上述した構成と同じ構成には同じ符号を付してある。重複する説明については適宜省略する。
【００８３】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００８４】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８５】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００８６】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８７】
ROM２０６には、制御部２０１において実行されるプログラムやデータが記憶されている。RAM２０７は、制御部２０１が処理するデータやプログラムを一時的に記憶する。
【００８８】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００８９】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００９０】
背景制御部２２２は、制御部２０１から供給される背景制御信号に従って背景カーテンユニット２５による背景カーテン（クロマキー用カーテン）の上げ下ろしを制御する。
【００９１】
照明装置２２３は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００９２】
カメラ１０１は、制御部２０１による制御に従って撮影を行い、撮影によって得られた画像を制御部２０１に出力する。
【００９３】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００９４】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９５】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００９６】
プリンタ２４１は、制御部２０１から供給された印刷データに基づいて、撮影画像や編集画像をシール紙ユニット２４２に収納されているシール紙に印刷し、シール紙排出口１６２に排出する。
【００９７】
［制御部の構成］
図１０は、制御部２０１の機能構成例を示すブロック図である。図１０に示す機能部のうちの少なくとも一部は、制御部２０１内のCPUにより所定のプログラムが実行されることによって実現される。
【００９８】
制御部２０１においては、撮影処理部３０１、編集処理部３０２、印刷処理部３０３、事後接客処理部３０４、および加工処理部３０５が実現される。
【００９９】
撮影処理部３０１は、撮影部２０８の各部を制御し、写真シール作成装置１を利用する際に投入される代金に関する処理を含む事前接客処理や撮影処理を行う。
【０１００】
編集処理部３０２は、編集部２０９Ａ、編集部２０９Ｂの各部を制御し、編集処理を行う。
【０１０１】
印刷処理部３０３は、事後接客部２１０のプリンタ２４１を制御し、印刷処理を行う。
【０１０２】
事後接客処理部３０４は、事後接客部２１０のタブレット内蔵モニタ１６１を制御するなどして事後接客処理を行う。
【０１０３】
加工処理部３０５は、撮影処理において生成される撮影画像、および、編集処理において生成される編集済み画像の少なくともいずれかに対して面取り加工を施すことで、面取り画像を生成する。なお、加工処理部３０５は、撮影画像および／または編集済み画像がそれぞれ複数枚ある場合、複数枚の撮影画像および／または編集済み画像に対して、一括して面取り画像を生成する。なお、印刷処理においては、撮影画像または編集済み画像が、印刷画像としてシール紙に印刷されるので、結果として、印刷画像に対しても面取り加工が施されることになる。
【０１０４】
ここでいう面取り加工とは、機械製図におけるフィレットや面取りのように、画像処理により、矩形形状の画像の角を、曲線または直線で取る加工をいう。具体的には、面取り加工には、画像の角を曲線で取り、角を丸くする角丸加工や、画像の角を45°で交差する直線で取る加工が含まれる。特に、角丸加工が施された画像（角丸画像）において丸くなった部分を角丸という。面取り加工は、矩形形状の画像の四隅の角の少なくともいずれかに施され、画像の四隅の角全てに施されてもよいし、例えば、四隅の角のうちの対角に施されてもよい。
【０１０５】
また、面取り加工が施された面取り画像には、加工対象となる画像についての情報のほか、面取り加工によって面取りされた角についての情報（以下、面取り情報という）が含まれる。
【０１０６】
ここで、図１１を参照して、加工処理部３０５による角丸画像の生成について説明する。
【０１０７】
まず、写真シール作成ゲームにおいて生成される矩形形状の画像は、例えばPNG（Portable Network Graphics）形式の画像であるものとし、図１１に示される、角丸加工が施される加工対象となる加工対象画像３２１もまた、PNG形式の画像であるものとして説明する。
【０１０８】
次に、加工対象画像３２１と同じ画素数（同じ画像サイズ）の角丸マスク画像３２２が生成される。角丸マスク画像３２２は、各画素の画素値がαチャンネルからなるαチャンネル画像とされる。αチャンネルは、画素の不透明度を表す情報であり、αチャンネル画像が合成された画像において、例えば、対応する画素のαチャンネルが１である画素領域は完全な不透明とされ、対応する画素のαチャンネルが０である画素領域は完全な透明とされるようになる。
【０１０９】
角丸マスク画像３２２においては、加工対象画像３２１で、曲線で角を取りたい領域（黒塗りの領域）のαチャンネルが０とされ、それ以外の領域（白塗りの領域）のαチャンネルが１とされる。
【０１１０】
したがって、加工対象画像３２１と角丸マスク画像３２２を合成することで、加工対象画像３２１の角が曲線で取られた角丸画像３２３が生成されることになる。このように、加工対象画像３２１をPNG形式の画像とすることで、角丸画像３２３には、加工対象画像３２１についての情報と、面取りされた四隅の角についての面取り情報としての、画素の不透明度を表すαチャンネルとが含まれるようになる。なお、面取り情報は、角丸画像３２３（面取り画像）に含まれるようにしてもよいし、面取り画像と対応付けられて扱われるようにしてもよい。なお、加工対象画像３２１として、PNG形式の画像に限らず、面取り情報として、画素の不透明度を表す情報を用いることが可能な形式の画像を適用することが可能である。
【０１１１】
なお、角丸画像３２３における角丸の半径Ｒは、加工対象画像３２１のサイズに応じて決定されるようにする。例えば、画像サイズの範囲毎に、角丸の半径Ｒを割り当て、加工対象画像３２１の画像サイズが含まれる範囲に割り当てられている角丸の半径Ｒが適用されるようにする。
【０１１２】
また、角丸画像３２３における角丸の半径Ｒは、加工対象画像３２１のサイズと縦横比に応じて決定されるようにしてもよい。例えば、加工対象画像３２１のサイズと縦横比とを用いて、予め決められた計算式により、角丸の半径Ｒが算出されるようにしてもよい。
【０１１３】
なお、加工処理部３０５は、マスク画像となるαチャンネル画像の形状に応じて、上述した角丸画像以外にも、図１２Ａに示されるような、画像の四隅の角をそれぞれ１本の直線（45°で交差する直線）で取った面取り画像や、図１２Ｂに示されるような、画像の四隅の角をそれぞれ３本の直線で取った面取り画像を生成することもできる。さらには、マスク画像となるαチャンネル画像の形状に応じて、円形やハート型、星型等の形状に切り抜いた画像を生成することも可能となる。
【０１１４】
さらに、加工処理部３０５は、角が面取りされた矩形形状のトリミング枠を用いることで、トリミングにより面取り画像を生成することもできる。
【０１１５】
［写真シール作成装置の動作］
次に、写真シール作成装置１の動作について説明する。
【０１１６】
図１３のフローチャートを参照して、写真シール作成ゲームを提供する写真シール作成装置１の処理について説明する。
【０１１７】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。このとき、撮影処理部３０１は、撮影空間Ａ１にいる利用者に対して、写真シール作成ゲームのイメージ動画やガイダンスを流す事前接客処理を行うようにしてもよい。事前接客処理は、タッチパネルモニタ９２に画像を表示させることによって、または音声をスピーカ２２４から出力させることによって行われる。
【０１１８】
硬貨が投入されたとステップＳ１において判定された場合、ステップＳ２において、撮影処理部３０１は、撮影部２０８を制御し、カメラ１０１に取り込まれた被写体の動画像をタッチパネルモニタ９２にライブビュー表示させ、撮影空間Ａ１にいる利用者を被写体として撮影し、撮影画像を生成する撮影処理を行う。撮影処理においては、利用者に選択された撮影コースに応じて、利用者の顔および上半身を撮影するアップ撮影に加え、利用者の全身を撮影する全身撮影が行われる。
【０１１９】
このとき、加工処理部３０５は、カメラ１０１に取り込まれた被写体の動画像や、撮影処理の撮影結果として生成された撮影画像に対して角丸加工を施し、撮影処理部３０１は、角丸加工が施された被写体の動画像や撮影画像を表示する。
【０１２０】
図１４は、撮影時にタッチパネルモニタ９２に表示されるライブビュー表示画面の例を示す図である。
【０１２１】
図１４に示されるライブビュー表示画面は、カメラ１０１のライブビュー画像を表示するライブビュー表示領域３４１、および、撮影結果としての撮影画像が表示される撮影結果表示領域３４２−１乃至３４２−５から構成されている。
【０１２２】
図１４の例では、ライブビュー表示領域３４１にリアルタイムに表示される、被写体の動画像であるライブビュー画像は、その四隅の角に角丸加工が施されている。ライブビュー画像は、例えば、PNG形式の拡張形式であるAPNG（Animation PNG）形式や、MPNG（Multiple-image PNG）形式の動画像とされる。
【０１２３】
また同様に、撮影結果表示領域３４２−１乃至３４２−５に表示される撮影結果である撮影画像もまた、その四隅の角に角丸加工が施されている。
【０１２４】
このように、撮影時に、角丸加工が施されたライブビュー画像が表示されるので、ライブビュー画像の見た目がかわいらしい印象となり、利用者は、より高い満足度で撮影作業を行うことができる。
【０１２５】
図１３のフローチャートに戻り、ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画像を表示させることによって、または音声をスピーカ２２４から出力させることによって行われる。
【０１２６】
ステップＳ４において、編集処理部３０２は、編集空間Ａ２−１と編集空間Ａ２−２のうち、撮影処理を終えた利用者の移動先とした方の編集空間に対応する編集部２０９Ａまたは編集部２０９Ｂを制御して編集処理を行う。
【０１２７】
具体的には、編集処理部３０２は、タブレット内蔵モニタ１３１に、編集画面を表示させ、編集入力の対象となる編集対象画像として選択された撮影画像に対して利用者に編集入力を行わせ、編集が施された編集済み画像を生成する。
【０１２８】
このとき、加工処理部３０５は、編集対象画像となる撮影画像に対して角丸加工を施した角丸画像を生成し、撮影処理部３０１は、生成された角丸画像を、編集対象画像として編集画面上に表示する。
【０１２９】
図１５は、編集画面の例を示す図である。
【０１３０】
編集画面は、基本的に、主な構成が左右対象に設けられることによって構成される。左半分の領域である領域３６２Ｌは、タブレット内蔵モニタ１３１に向かって左側にいる利用者により用いられる領域であり、右半分の領域である領域３６２Ｒは、タブレット内蔵モニタ１３１に向かって右側にいる利用者により用いられる領域である。中央の領域３６１には編集処理の残り時間等が表示される。なお、図１５の各領域を囲む破線は画面に実際に表示されるものではない。
【０１３１】
領域３６２Ｌの中央上方のサムネイル画像表示領域３７１Ｌは、撮影画像を表すサムネイル画像の表示領域である。利用者（タブレット内蔵モニタ１３１に向かって左側にいる利用者）は、サムネイル画像表示領域３７１Ｌに表示されているサムネイル画像を選択することによって、編集対象画像とする撮影画像を選択することができる。
【０１３２】
サムネイル画像表示領域３７１Ｌに表示されるサムネイル画像Ｐ１乃至Ｐ５は、加工処理部３０５により生成された角丸画像になっている。
【０１３３】
領域３６２Ｌの略中央に形成された、サムネイル画像表示領域３７１Ｌと比較して十分大きな編集領域３７２Ｌは、編集対象画像として選択された撮影画像の表示領域である。図１５の例においては、サムネイル画像表示領域３７１Ｌからサムネイル画像Ｐ１が選択されることによって、１枚目の撮影画像が表示されている。利用者は、タッチペン１３２Ａを用いて編集ツールを選択し、編集領域３７２Ｌに表示された撮影画像の編集を行うことができる。編集領域３７２Ｌに表示される撮影画像も、加工処理部３０５により生成された角丸画像である。
【０１３４】
なお、編集対象画像が、アップ撮影により得られた撮影画像であるか、全身撮影により得られた撮影画像であるかによって、編集領域３７２Ｌに表示される編集対象画像の横縦比を変更するようにしてもよい。例えば、編集対象画像が、アップ撮影により得られた撮影画像である場合、編集領域３７２Ｌに表示される編集対象画像の横縦比を１：１．２とし、全身撮影により得られた撮影画像である場合、編集領域３７２Ｌに表示される編集対象画像の横縦比を３：４とする。
【０１３５】
編集領域３７２Ｌの左側のペンパレット表示領域３７３Ｌは、手書き入力に用いられるペン画像の選択に用いられるペンパレットの表示領域である。ペンパレット表示領域３７３Ｌには、ペン画像の線の種類、太さ、色の選択に用いられるボタンが複数表示される。ペンパレット表示領域３７３Ｌのペンパレットは、編集画面が表示されている間、常時表示される。
【０１３６】
編集領域３７２Ｌの下の編集用パレット表示領域３７４Ｌは、スタンプ画像等の各種の編集ツール（合成用画像）の選択に用いられる編集用パレットの表示領域である。編集用パレットに表示される合成用画像は「PROF-select」、「ROUGH-design」、「HIGH-design」のカテゴリ毎に分かれており、それぞれのカテゴリ名が付されたタブを選択することによって、編集用パレット表示領域３７４Ｌに表示させる合成用画像を切り替えることができるようになされている。
【０１３７】
図１５の例においては、「ROUGH-design」タブが選択され、「ROUGH-design」のカテゴリに属する合成用画像の選択ボタンが表示されている。
【０１３８】
領域３６１の一発落書きボタン３７５Ｌは、一発落書きを行うときに操作されるボタンである。一発落書きとは、編集作業（落書き）に慣れていない利用者や、編集作業を簡単に済ませたい利用者に、予め設定された内容の編集作業を、１回の操作で行わせる機能である。一発落書きボタン３７５Ｌが操作されることにより、予め決められた複数の合成用画像が一括して撮影画像に合成されるようになる。
【０１３９】
編集用パレット表示領域３７４Ｌの右側には、サーバを介して、携帯電話機等の携帯端末に送信される画像（ケータイおまけ）の編集を行うときに操作されるケータイおまけボタン３７６Ｌが表示される。縦長長方形のケータイおまけボタン３７６Ｌには、「MOBILE  ケータイおまけ」の文字と携帯電話機（スマートフォン）の外観の画像が表示されるとともに、スマートフォンの外観の画像に重ねて「PUSH」の文字が表示される。ケータイおまけボタン３７６Ｌに外観の画像が表示されているスマートフォンのディスプレイには、利用者が写る撮影画像が嵌め込まれている。
【０１４０】
ケータイおまけボタン３７６Ｌが操作されると、ケータイおまけの作成を行うことができる。
【０１４１】
タブレット内蔵モニタ１３１に向かって右側にいる利用者が使う領域３６２Ｒには、以上のような領域３６２Ｌの構成と同じ構成が位置を対称にして配置される。図１５の例においては、サムネイル画像表示領域３７１Ｒからサムネイル画像Ｐ４を選択することによって、４枚目の撮影画像が編集対象画像とされている。
【０１４２】
このように、編集入力時に、角丸加工が施された編集対象画像が表示されるので、編集対象画像の見た目がかわいらしい印象となり、利用者は、より高い満足度で編集作業を行うことができる。
【０１４３】
なお、編集画面においては、サムネイル画像表示領域３７１Ｌに表示されるサムネイル画像Ｐ１乃至Ｐ５や、編集領域３７２Ｌに表示される編集対象画像として、角丸画像が表示されるようにしたが、編集画面上に、角丸画像と、角丸加工が施される前の撮影画像との表示を切り替える切替ボタンを設け、この切替ボタンが操作されることで、角丸画像と、角丸加工が施される前の撮影画像との表示が切り替わるようにしてもよい。
【０１４４】
さらに、上述した切替ボタンを編集画面の左右それぞれに設けるようにし、タブレット内蔵モニタ１３１に向かって左側にいる利用者と、右側にいる利用者のそれぞれに、角丸画像を表示させるか否かを選択させるようにしてもよい。特に、編集入力前に、角丸画像を表示させるか否かを選択させるようにした場合には、編集処理をはじめ、後述する印刷処理においても、利用者の嗜好にあった画像を提供することができるようになる。
【０１４５】
また、トリミングにより角丸画像が生成されるようにした場合には、編集入力時に、利用者にトリミング位置を選択させるようにしてもよい。これにより、編集対象画像として、撮影画像全体の角丸画像を表示することはもちろん、トリミングされた撮影画像の角丸画像を表示することができる。
【０１４６】
図１３のフローチャートに戻り、ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４７】
ステップＳ６において、印刷処理部３０３は印刷処理を行う。印刷処理により、撮影画像や編集済み画像が、利用者により選択されたレイアウトに従ってシール紙に印刷される。
【０１４８】
このとき、加工処理部３０５は、シール紙に印刷される印刷画像としての撮影画像や編集済み画像に対して角丸加工を施した角丸画像を生成し、印刷処理部３０３は、生成された角丸画像をシール紙に印刷する。
【０１４９】
図１６は、印刷処理によって印刷されるシール紙の例を示す図である。
【０１５０】
図１６に示されるシール紙には、印刷画像として、５枚の撮影画像３８１−１乃至３８１−５が印刷されている。撮影画像３８１−１，３８１−３，３８１−４は、アップ撮影により得られた撮影画像であり、撮影画像３８１−２，３８１−５は、全身撮影により得られた撮影画像である。また、シール紙の左上には、写真シール作成装置１の機種名である「SPiCA」の文字や撮影日時などの文字情報が、利用者が写る撮影画像３８２に重ねて印刷されている。文字情報が重ねて印刷される左上の撮影画像３８２は、その右下に印刷されている撮影画像３８１−４に対して、グレースケール表示にする等の加工を施して得られた画像である。撮影画像３８１−１乃至３８１−５および撮影画像３８２は、それぞれ、加工処理部３０５により生成された、撮影画像に対して角丸加工を施した角丸画像になっている。
【０１５１】
図１７は、印刷処理によって印刷されるシール紙の他の例を示す図である。
【０１５２】
図１７に示されるシール紙は、横方向のレイアウトのシール紙であり、印刷画像として、５枚の撮影画像３９１−１乃至３９１−５が横一列に並んで印刷されている。撮影画像３９１−１乃至３９１−５は、いずれもアップ撮影により得られた撮影画像であり、その横縦比は、１：１．２とされる。図１７の例では、撮影画像３９１−１のみが、他の４枚の撮影画像３９１−２乃至３９１−５より大きく印刷される。撮影画像３９１−１乃至３９１−５もまた、それぞれ、加工処理部３０５により生成された、撮影画像に対して角丸加工を施した角丸画像になっている。
【０１５３】
なお、図１６および図１７の例では、印刷画像として、編集が行われていない撮影画像がシール紙に印刷されるものとしたが、編集が行われた編集済み画像がシール紙に印刷されてももちろんよい。
【０１５４】
このように、印刷時には、角丸加工が施された印刷画像がシール紙に印刷されるので、シール紙の見た目がかわいらしい印象となり、利用者の満足度をより向上させることができる。
【０１５５】
ステップＳ７において、事後接客処理部３０４は、印刷が終わるのを待っている利用者に対する事後接客処理を行う。事後接客処理部３０４は、撮影画像や編集済み画像を、携帯送信用画像として携帯端末に送信する処理などを事後接客処理として行う。なお、事後接客処理においては、携帯送信用画像として、撮影画像や編集済み画像に対して角丸加工が施されて生成された角丸画像が、携帯端末に送信されるようにしてもよい。
【０１５６】
印刷が終了した場合、ステップＳ８において、事後接客処理部３０４は、画像が印刷されたシール紙をシール紙排出口１６２から排出させ、処理を終了する。
【０１５７】
以上のようにして、撮影処理、編集処理、および印刷処理の各処理において、角丸画像が生成されるので、各処理において、画像の見た目の印象を良くすることが可能となる。
【０１５８】
ここで、各処理において表示または印刷される撮影画像（ライブビュー画像）、編集対象画像、および印刷画像は、それぞれ画像サイズや縦横比が異なるため、各処理において生成される角丸画像における角丸のＲ（半径）もまた異なる。例えば、各処理において表示または印刷される画像は、大きい順に、編集対象画像、ライブビュー画像、印刷画像となるため、各処理において生成される角丸画像における角丸のＲも、その順番に対応した大きさとなる。
【０１５９】
このように、各処理において生成される角丸画像における角丸のＲは、各処理において表示または印刷される画像のサイズや縦横比に応じて決定されるので、それら角丸画像の見た目の印象は、違和感のない、より自然なものとなる。
【０１６０】
なお、以上においては、撮影処理、編集処理、および印刷処理の各処理において、角丸画像が生成されるものとしたが、少なくともいずれかの処理において、角丸画像が生成されるようにしてもよい。
【０１６１】
例えば、撮影処理において角丸画像が生成された場合、編集処理においては、角丸画像を生成せず、撮影処理において生成された角丸画像が編集対象画像として表示されるようにする。また、編集処理において角丸画像が生成された場合、印刷処理においては、角丸画像を生成せず、編集処理において生成された角丸画像が印刷画像として印刷されるようにする。
【０１６２】
上述したように、撮影処理により得られた撮影画像は、編集処理において編集対象画像として落書き編集が施され、印刷処理においてシール紙に印刷されるとともに、事後接客処理において利用者の所有する携帯端末へ提供される。
【０１６３】
そこで、以下においては、携帯端末への画像の提供を実現する画像提供システムについて説明する。
【０１６４】
［画像提供システムの構成例］
図１８は、上述で説明してきた写真シール作成装置１を含む画像提供システムの構成例を示している。
【０１６５】
図１８の画像提供システムは、写真シール作成装置１、サーバ４０２、および携帯端末４０３から構成される。サーバ４０２は、例えば写真シール作成装置１のメーカが管理するサーバであり、携帯端末４０３は、写真シール作成装置１が提供するゲームを行い、シール紙を受け取る利用者が携帯している携帯電話機などの端末である。
【０１６６】
写真シール作成装置１とサーバ４０２の間、サーバ４０２と携帯端末４０３の間の情報の送受信は、インターネットなどの通信ネットワークを介して行われる。
【０１６７】
サーバ４０２においては、携帯端末４０３の利用者による写真シール作成装置１の利用によって得られた画像（携帯送信用画像）が管理されている。
【０１６８】
［サーバの構成例］
図１９は、サーバ４０２のハードウェア構成例を示すブロック図である。
【０１６９】
CPU(Central Processing Unit)４１１、ROM４１２、RAM４１３は、バス４１４により相互に接続される。
【０１７０】
バス４１４には、さらに、入出力インタフェース４１５が接続される。入出力インタフェース４１５には、キーボード、マウス等よりなる入力部４１６、ディスプレイ、スピーカ等よりなる出力部４１７が接続される。また、入出力インタフェース４１５には、ハードディスクや不揮発性のメモリなどより構成され、各種の情報を記憶する記憶部４１８、ネットワークインタフェースなどより構成され、写真シール作成装置１や携帯端末４０３と通信を行う通信部４１９、リムーバブルメディア４２１を駆動するドライブ４２０が接続される。
【０１７１】
記憶部４１８には、写真シール作成装置１から送信されてきた携帯送信用画像や、サーバ４０２が管理する各種のウェブサイトの情報などが記憶される。
【０１７２】
図２０は、サーバ４０２の機能構成例を示すブロック図である。図２０に示す機能ブロックのうちの少なくとも一部は、図１９のCPU４１１により所定のプログラムが実行されることによって実現される。サーバ４０２においては、データ管理部４３１、ウェブページ提供部４３２、および加工処理部４３３が実現される。
【０１７３】
データ管理部４３１は、写真シール作成装置１から送信されてきた携帯送信用画像や、その携帯送信用画像に関する情報等、各種のデータを管理する。
【０１７４】
ウェブページ提供部４３２は、携帯端末４０３からの要求に応じて、サーバ４０２が管理するウェブサイトを構成するウェブページを、通信部４１９を介して、携帯端末４０３に提供する。具体的には、ウェブページ提供部４３２は、携帯送信用画像を含むウェブページを、携帯端末４０３に提供する。携帯端末４０３に提供されたウェブページは、携帯端末４０３の表示部（表示画面）に表示されるようになる。
【０１７５】
また、ウェブページ提供部４３２は、携帯端末４０３からの要求に応じて、携帯端末４０３に提供されたウェブページ上の携帯送信用画像を、携帯端末４０３に提供（ダウンロード）する。
【０１７６】
加工処理部４３３は、写真シール作成装置１から送信されてきた携帯送信用画像としての撮影画像または編集済み画像に対して面取り加工を施すことで、面取り画像を生成する。例えば、加工処理部４３３によって、携帯送信用画像に対して角丸加工が施されることで、角丸画像が生成される。
【０１７７】
なお、加工処理部４３３による角丸画像（面取り画像）の生成は、上述した加工処理部３０５による角丸画像の生成と同様にして行われる。
【０１７８】
［携帯端末の構成例］
図２１は、携帯端末４０３の機能構成例を示すブロック図である。
【０１７９】
携帯端末４０３は、制御部４５１、アンテナ４５２、通信部４５３、記憶部４５４、表示部４５５、非接触型IC４５６、および操作部４５７から構成される。
【０１８０】
制御部４５１は、CPU，ROM，RAM等よりなり、所定のプログラムを実行し、携帯端末４０３の全体の動作を制御する。例えば、制御部４５１は、通信部４５３を制御してサーバ４０２と通信を行う。
【０１８１】
通信部４５３は、基地局から送信された電波が受信されることに応じてアンテナ４５２から供給された信号の復調処理を行い、復調処理を行うことによって得られた情報を制御部４５１に出力する。また、通信部４５３は、制御部４５１から供給された情報に対して変調処理を施し、得られた信号をアンテナ４５２から送信する。
【０１８２】
記憶部４５４は、フラッシュメモリ等よりなり、サーバ４０２からダウンロードされた携帯送信用画像等、各種の情報を記憶する。
【０１８３】
表示部４５５は、LCD等よりなり、各種の情報を表示する。例えば表示部４５５には、サーバ４０２から送信され、通信部４５３において受信された情報に基づいたウェブページや携帯送信用画像が表示される。
【０１８４】
非接触型IC４５６は、写真シール作成装置１に非接触型ICリーダ／ライタが設けられている場合、その通信可能範囲において、非接触型ICリーダ／ライタと近接通信を行う。
【０１８５】
操作部４５７は、各種のボタンや表示部４５５に重ねて設けられたタッチパネルより構成され、利用者の操作の内容を表す信号を制御部４５１に出力する。
【０１８６】
［画像提供システムの動作］
次に、図２２のフローチャートを参照して、写真シール作成装置１において得られた携帯送信用画像を、サーバ４０２に送信し、携帯端末４０３に提供するまでの一連の処理について説明する。
【０１８７】
事後接客処理として行われる携帯送信ゲーム処理が開始されると、ステップＳ３１において、事後接客処理部３０４は、利用者によって携帯送信用画像として選択された撮影画像または編集済み画像を、利用者によって入力された、利用者の携帯端末４０３のメールアドレスとともに、サーバ４０２に送信する。なお、ここでサーバ４０２に送信される携帯送信用画像は、角丸処理が施されていない撮影画像または編集済み画像とする。
【０１８８】
このとき、事後接客処理部３０４は、送信される携帯送信用画像に、その携帯送信用画像に関する情報（以下、画像情報という）を付加してサーバ４０２に送信する。
【０１８９】
なお、携帯送信ゲーム処理によって、最大１枚の画像を携帯端末４０３に送信することができるものとするが、携帯端末４０３に送信される画像の枚数は１枚に限られない。具体的には、サーバ４０２が管理するウェブサイトにおいて、携帯端末４０３を所有する利用者が課金をして会員登録（有料会員登録）されている場合には、写真シール作成ゲームにより得られた、例えば５枚の画像全てが携帯端末４０３に送信され、利用者が課金せずに会員登録（無料会員登録）されている場合には、例えば５枚の画像のうちの１枚のみが携帯端末４０３に送信される。
【０１９０】
ステップＳ５１において、サーバ４０２（通信部４１９）は、写真シール作成装置１から送信されてきた携帯送信用画像と、メールアドレスを受信する。
【０１９１】
ステップＳ５２において、サーバ４０２のデータ管理部４３１は、写真シール作成装置１から送信されてきた携帯送信用画像に対して、保存先URL（Uniform Resource Locator）を割り当て、写真シール作成装置１から送信されてきた携帯端末４０３のメールアドレスと携帯送信用画像とを対応付けて記憶部４１８に記憶させる。
【０１９２】
ここで対応付けられた携帯端末４０３のメールアドレスと携帯送信用画像とは、記憶部４１８に、例えば１週間等の所定の期間だけ、一時的に記憶されるものとし、携帯端末４０３からの保存の要求によって、継続的に記憶（保存）されるものとする。
【０１９３】
ステップＳ５３において、データ管理部４３１は、携帯端末４０３のメールアドレス宛てに、ステップＳ５２において割り当てた携帯送信用画像の保存先URLを含む電子メールを送信する。
【０１９４】
ステップＳ７１において、携帯端末４０３は、サーバ４０２から送信されてきた、携帯送信用画像の保存先URLを含む電子メールを受信する。
【０１９５】
ステップＳ７２において、携帯端末４０３は、電子メールの内容を確認した利用者によりサーバ４０２へのアクセスが指示された場合、受信した電子メールに含まれるURLに基づいてサーバ４０２にアクセスし、携帯送信用画像の表示を要求する。
【０１９６】
ステップＳ５４において、サーバ４０２のウェブページ提供部４３２は、携帯端末４０３の要求に応じて、携帯送信用画像の保存先を指定し、指定された保存先の携帯送信用画像を読み出す。
【０１９７】
ステップＳ５５において、ウェブページ提供部４３２は、読み出した携帯送信用画像を含むウェブページを携帯端末４０３に提供する。
【０１９８】
ステップＳ７３において、携帯端末４０３は、ウェブページ提供部４３２によって提供された、携帯送信用画像を含むウェブページを表示部４５５に表示させる。
【０１９９】
なお、上述した説明においては、携帯送信用画像は、携帯端末に送信されるものとしたが、携帯端末に限らず、パーソナルコンピュータ等の、利用者が所有する端末装置に送信されるようにすることができる。
【０２００】
以上のようにして、写真シール作成装置１において得られた撮影画像または編集済み画像が、携帯端末４０３に提供され、表示されるようになる。
【０２０１】
そして、利用者によって、携帯端末４０３に表示されるウェブページ上の携帯送信用画像に対して所定の操作が行われると、その携帯送信用画像が、携帯端末４０３にダウンロードされる。
【０２０２】
［画像提供処理の例について］
ここで、図２３のフローチャートを参照して、携帯送信用画像を携帯端末にダウンロードする際の、サーバ４０２による画像提供処理の例について説明する。
【０２０３】
なお、図２３の画像提供処理は、図２２のフローチャートにおけるステップＳ５５の処理の中で実行される。
【０２０４】
まず、ステップＳ８１において、ウェブページ提供部４３２は、携帯端末４０３からのアクセスに応じて、携帯送信用画像のサムネイル画像を含むウェブページを携帯端末４０３に提供する。ここでは、携帯端末４０３を所有する利用者は有料会員であり、１回の写真シール作成ゲームにより得られた５枚の画像それぞれに対応するサムネイル画像を含むウェブページが提供されるものとする。
【０２０５】
ステップＳ８２において、ウェブページ提供部４３２は、携帯端末４０３の表示部４５５において、いずれかのサムネイル画像が選択されたか否かを判定する。いずれのサムネイル画像も選択されていないと判定された場合、ステップＳ８２の処理は繰り返され、いずれかのサムネイル画像が選択されたと判定された場合、処理はステップＳ８３に進む。
【０２０６】
ステップＳ８３において、ウェブページ提供部４３２は、選択されたサムネイル画像に対応する携帯送信用画像のダウンロードに際して、角丸画像のダウンロードが要求されているか否かを判定する。
【０２０７】
ステップＳ８３において、角丸画像のダウンロードが要求されていると判定された場合、処理はステップＳ８４に進み、加工処理部４３３は、携帯端末４０３に提供されたウェブページに含まれるサムネイル画像に対応する携帯送信用画像の角丸画像を一括で生成する。
【０２０８】
例えば、図２４に示されるように、１回の写真シール作成ゲームにより得られた５枚の携帯送信用画像４８１−１乃至４８１−５に対応するサムネイル画像が、携帯端末４０３に提供されたウェブページに含まれている場合、加工処理部４３３は、携帯送信用画像４８１−１乃至４８１−５それぞれに対して角丸処理を施した、５枚の角丸画像４８２−１乃至４８２−５を一括して生成する。
【０２０９】
このとき、サーバ４０２には、１回の写真シール作成ゲームに関する携帯送信用画像として、写真シール作成装置１から送信されてきた５枚の携帯送信用画像に加え、新たに５枚の携帯送信用画像（角丸画像）が保存される。
【０２１０】
また、このとき、加工処理部４３３は、携帯送信用画像に付加されている画像情報に基づいて、角丸画像を生成する。具体的には、加工処理部４３３は、画像情報に含まれる、携帯送信用画像の送信元である写真シール機の機種名や筐体IDを判別し、携帯送信用画像の送信元が特定の機種の写真シール機である場合に、角丸画像を生成する。
【０２１１】
なお、ステップＳ８４の処理は、ステップＳ８３より前のタイミングで行われるようにしてもよい。
【０２１２】
図２３のフローチャートに戻り、ステップＳ８５において、ウェブページ提供部４３２は、一括で生成された角丸画像のうち、ステップＳ８２で選択されたサムネイル画像に対応する携帯送信用画像の角丸画像を、携帯端末４０３に提供する。
【０２１３】
一方、ステップＳ８３において、角丸画像のダウンロードが要求されていないと判定された場合、処理はステップＳ８６に進み、ウェブページ提供部４３２は、ステップＳ８２で選択されたサムネイル画像に対応する携帯送信用画像をそのまま、すなわち、角丸を有しない画像を、携帯端末４０３に提供する。
【０２１４】
以上の処理によれば、携帯端末の要求に応じて、携帯送信用画像としての角丸画像が一括して生成されるので、画像毎に、利用者がウェブサイト上の角丸加工を施すツールを用いる必要なく、より簡単に、携帯送信用画像の見た目の印象を良くすること、特には、携帯送信用画像の見た目をかわいらしい印象とすることが可能となる。
【０２１５】
近年、ウェブサイト上で公開する画像を角丸画像とすることが流行しつつある中、写真シール機で撮影され携帯端末にダウンロードされる画像は、角丸画像ではなかった。
【０２１６】
一方、本発明の画像提供システムによれば、写真シール機で撮影され携帯端末にダウンロードされる画像を角丸画像とすることができるので、特に、写真シール機で撮影した画像を携帯端末にダウンロードし、ウェブサイト上で公開する利用者の満足度を向上させることが可能となる。
【０２１７】
また、携帯送信用画像としての角丸画像は、携帯送信用画像の送信元が特定の機種の写真シール機である場合に生成されるため、ウェブサイト上で公開されている角丸画像を閲覧した、写真シール機を利用する他の利用者に対して、その角丸画像が特定の機種の写真シール機で撮影されたものであることをアピールすることができる。その結果、他の利用者に対して、その機種の写真シール機で撮影することを奨励することができ、ひいては、その機種の写真シール機の利用率を向上させることが可能となる。
【０２１８】
さらに、サーバ４０２において、携帯送信用画像の送信元にかかわらず、角丸画像が生成されるようにしてもよい。これにより、他の機種の写真シール機で撮影された画像であっても、簡単に、ウェブサイト上での公開に適した角丸画像とすることが可能となる。
【０２１９】
［画像提供処理の他の例について］
次に、図２５のフローチャートを参照して、画像提供処理の他の例について説明する。
【０２２０】
なお、図２５のフローチャートのステップＳ９１乃至Ｓ９３，Ｓ９６の処理は、図２３のフローチャートのステップＳ８１乃至Ｓ８３，Ｓ８６の処理と同様であるので、その説明は省略する。
【０２２１】
すなわち、ステップＳ９３において、角丸画像のダウンロードが要求されていると判定された場合、処理はステップＳ９４に進み、加工処理部４３３は、ステップＳ８２で選択されたサムネイル画像に対応する携帯送信用画像の角丸画像を生成する。
【０２２２】
例えば、図２６に示されるように、携帯端末４０３に提供されたウェブページに含まれる、５枚の携帯送信用画像４８１−１乃至４８１−５に対応するサムネイル画像のうちの、携帯送信用画像４８１−１に対応するサムネイル画像が選択された場合、加工処理部４３３は、角丸マスク画像を用いて、携帯送信用画像４８１−１に対して角丸処理を施した、１枚の角丸画像４８２−１を生成する。
【０２２３】
このとき、サーバ４０２には、１回の写真シール作成ゲームに関する携帯送信用画像として、写真シール作成装置１から送信されてきた５枚の携帯送信用画像に加え、新たに保存される携帯送信用画像（角丸画像）は１枚のみとなる。
【０２２４】
なお、この場合も、加工処理部４３３は、携帯送信用画像に付加されている画像情報に基づいて、角丸画像を生成する。
【０２２５】
図２５のフローチャートに戻り、ステップＳ９５において、ウェブページ提供部４３２は、生成された角丸画像を、携帯端末４０３に提供する。
【０２２６】
以上の処理によれば、携帯端末の要求に応じて、携帯送信用画像としての角丸画像が生成されるので、利用者がウェブサイト上の角丸加工を施すツールを用いる必要なく、より簡単に、携帯送信用画像の見た目をかわいらしい印象とすることが可能となる。
【０２２７】
さらに、携帯端末からの要求の度に、角丸画像が生成されるようにすることで、図２３の画像提供処理と比較して、サーバの容量負荷を低減することができる。
【０２２８】
なお、選択されたサムネイル画像に対応して生成された角丸画像が、サーバ４０２に保存されることなく携帯端末４０３に提供されるようにすることで、サーバの容量負荷をより低減するようにしてもよい。
【０２２９】
以上においては、携帯送信用画像を携帯端末にダウンロードする際の、サーバ４０２側の処理について説明してきたが、以下においては、携帯送信用画像を携帯端末にダウンロードする際の携帯端末４０３の画面表示例について説明する。
【０２３０】
［携帯端末の画面表示例１］
図２７は、携帯送信用画像を携帯端末にダウンロードする際の携帯端末４０３の画面表示例を示す図である。
【０２３１】
まず、携帯端末４０３が、図２７の画面表示Ａに示される、サーバ４０２からの電子メールにおいて、その電子メールに含まれているURLへのアクセスが指示されると、携帯端末４０３の表示画面には、画面表示Ｂに示されるような、サーバ４０２が管理するウェブサイトのトップページが表示される。ここで、携帯端末４０３の利用者は、少なくともそのウェブサイトに会員登録されているものとする。
【０２３２】
画面表示Ｂには、画像５１１と保存ボタン５１２が表示されている。画像５１１は、利用者が撮影された携帯送信用画像のうちの１枚である。画面表示Ｂにおいて、保存ボタン５１２が操作されると、携帯端末４０３の表示画面には、画面表示Ｃに示されるように、写真シール作成装置１から送信された携帯送信用画像がサーバ４０２に保存された旨のメッセージが表示される。
【０２３３】
画面表示Ｃには、上述したメッセージに加え、マイページアクセスボタン５１３および角丸画像取得ボタン５１４が表示される。なお、マイページアクセスボタン５１３および角丸画像取得ボタン５１４は、それぞれ後述する機能を想起させるような画像を含むバナーに置き換えられてもよい。
【０２３４】
マイページアクセスボタン５１３は、会員登録された利用者固有のウェブページであるマイページにアクセスするためのボタンである。マイページには、写真シール作成装置１より出力されたシール紙の縁に印字されているシールIDを入力する入力欄とＯＫボタンとが設けられ、その入力欄にシールIDが入力され、ＯＫボタンが操作されると、そのシール紙が出力されたときに撮影された画像を含む、例えば、直近１週間に利用者が撮影された画像のサムネイル画像が表示される。このサムネイル画像は、JPEG（Joint Photographic Experts Group）方式により圧縮された画像であり、角丸を有していない。このサムネイル画像が選択されることで携帯端末４０３にダウンロードされる画像は、PNG形式の画像とされるが、この画像もまた角丸画像でない。
【０２３５】
角丸画像取得ボタン５１４は、携帯端末４０３にダウンロードされる画像を、角丸画像とするためのボタンである。画面表示Ｃにおいて、角丸画像取得ボタン５１４が操作され、携帯端末４０３の利用者が有料会員である場合、携帯端末４０３の表示画面には、画面表示Ｄに示されるように、５枚のサムネイル画像５１５−１乃至５１５−５が表示される。
【０２３６】
サムネイル画像５１５−１乃至５１５−５は、有料会員の利用者が、携帯端末４０３にダウンロード可能な５枚の携帯送信用画像のサムネイル画像であり、JPEG方式により圧縮された画像であるが、CSS（Cascading Style Sheets）により、角丸を有して表示される。
【０２３７】
CSSは、ウェブページのスタイルを指定するための言語である。具体的には、CSSは、HTML（HyperText Markup Language）と組み合わせて使用され、CSSによって、HTMLにより定義されたウェブページ内の各要素の表示スタイルを指定することができる。すなわち、この場合、CSSによって、角丸を有するように、ウェブページ内のサムネイル画像の表示スタイルが指定されている。
【０２３８】
サムネイル画像５１５−１乃至５１５−５のいずれかが選択される（タップされる）と、携帯端末４０３の表示画面には、画面表示Ｅに示されるように、選択されたサムネイル画像に対応する携帯送信用画像の角丸画像５１６（PNG形式）が表示される。そして、画面表示Ｅにおいて、利用者によって、角丸画像５１６が長押しされると、その角丸画像が、サーバ４０２から携帯端末４０３にダウンロードされる。
【０２３９】
従来、サムネイル画像が選択されて表示されるPNG形式の携帯送信用画像は、その縁に、例えばグレーの境界線が表示されるようになされていた。しかしながら、角丸画像において境界線を表示させた場合、角丸画像の四隅に、角を取った部分の境界線が残って表示されてしまう。
【０２４０】
そこで、画面表示Ｅに表示される角丸画像５１６は、境界線が表示されないように生成されるものとする。具体的には、図１１を参照して説明した手法と同様にして、境界線を表示させないようにするαチャンネル画像を用いることで、角丸画像５１６が生成される。
【０２４１】
なお、画面表示Ｅに表示される角丸画像５１６は、図２３の処理のように、一括して生成される５枚の角丸画像のうちの１枚であってもよいし、図２５の処理のように、画面表示Ｄにおいて、サムネイル画像が選択される度に生成される１枚の角丸画像であってもよい。角丸画像が一括して生成される場合、そのタイミングは、画面表示Ｄにおいて、いずれかのサムネイル画像が選択されたときでもよいし、画面表示Ｃにおいて、角丸画像取得ボタン５１４が操作されたとき等、他のタイミングであってもよい。
【０２４２】
一方、画面表示Ｃにおいて、角丸画像取得ボタン５１４が操作され、携帯端末４０３の利用者が無料会員である場合、携帯端末４０３の表示画面には、画面表示Ｆに示されるように、１枚のサムネイル画像５１７と、複数のサンプルサムネイル画像とが表示される。
【０２４３】
サムネイル画像５１７は、無料会員の利用者が、携帯端末４０３にダウンロード可能な１枚の携帯送信用画像のサムネイル画像であり、JPEG方式により圧縮された画像であるが、CSSにより、角丸を有して表示される。
【０２４４】
サムネイル画像５１７が選択される（タップされる）と、図示はしないが、携帯端末４０３の表示画面には、画面表示Ｅと同様に、サムネイル画像５１７に対応する携帯送信用画像の角丸画像（PNG形式）が表示される。そして、携帯端末４０３の表示画面において、利用者によって、角丸画像が長押しされると、その角丸画像が、サーバ４０２から携帯端末４０３にダウンロードされる。
【０２４５】
また、サムネイル画像５１７以外のサンプルサムネイル画像は、サムネイル画像５１７と同様のサムネイル画像に「SAMPLE」の文字が重畳された画像である。サンプルサムネイル画像のいずれかが選択される（タップされる）と、利用者に有料会員の登録をさせるための案内画面が表示される。
【０２４６】
以上のようにして、角丸画像を含む携帯送信用画像が、携帯端末にダウンロードされる。
【０２４７】
［携帯端末の画面表示例２］
図２８は、携帯送信用画像を携帯端末にダウンロードする際の携帯端末４０３の他の画面表示例を示す図である。
【０２４８】
図２８の例においては、例えば、図２７の画面表示Ｄに対応する画面表示Ａにおいて、サムネイル画像５２１−１乃至５２１−５のいずれかが選択される（タップされる）と、携帯端末４０３の表示画面には、画面表示Ｂに示されるように、携帯送信用画像として、角丸画像をダウンロードするか、または、角丸加工が施される前の画像をダウンロードするかを利用者に選択させる選択画面がポップアップ表示される。
【０２４９】
画面表示Ｂの選択画面の左側には、画面表示Ａにおいて選択されたサムネイル画像に対応する、角丸を有する画像５２２と、携帯送信用画像として角丸画像をダウンロードすることを選択させるための選択ボタン５２３が表示される。また、画面表示Ｂの選択画面の右側には、画面表示Ａにおいて選択されたサムネイル画像に対応する、角丸を有しない携帯送信用画像５２４と、携帯送信用画像として角丸加工が施される前の画像をダウンロードすることを選択させるための選択ボタン５２５が表示される。なお、画面表示Ｂに表示される画像５２２および画像５２５は、いずれもJPEG方式により圧縮された画像とされ、画像５２２は、CSSにより、角丸を有して表示されている。
【０２５０】
なお、画面表示Ｂにおいては、画像５２２および選択ボタン５２３と、画像５２４および選択ボタン５２５とが、１つの画面に並んで表示されるものとしたが、画像５２２および選択ボタン５２３と、画像５２４および選択ボタン５２５のいずれかが画面に表示されるようにした上で、携帯送信用画像としてダウンロードする画像が、表示されている形態の画像でよいか否かを、利用者に決定（選択）させるようにしてもよい。
【０２５１】
これにより、画像５２２および画像５２４は、画像表示Ｂの例より大きく表示されるようになり、利用者は、角丸画像と、角丸加工が施される前の画像との差異を、より詳細に確認することが可能となる。
【０２５２】
さて、画面表示Ｂにおいて、利用者によって選択ボタン５２３が選択されると、携帯端末４０３の表示画面には、画面表示Ｃに示されるように、携帯送信用画像として、角丸画像をダウンロードすることが決定された旨のメッセージと、画像５２６およびＯＫボタン５２７とが表示される。画像５２６もまた、例えばJPEG方式により圧縮された画像とされるが、画面表示Ｂに表示される画像５２２よりサイズは大きい。
【０２５３】
画面表示Ｃにおいて、利用者によって、ＯＫボタン５２７が選択されると、携帯端末４０３の表示画面には、画面表示Ｄに示されるように、選択されたサムネイル画像に対応する携帯送信用画像の角丸画像５２８（PNG形式）が表示される。そして、画面表示Ｄにおいて、利用者によって、角丸画像５２８が長押しされると、その角丸画像が、サーバ４０２から携帯端末４０３にダウンロードされる。
【０２５４】
このようにして、携帯送信用画像として、角丸画像をダウンロードするか、または、角丸加工が施される前の画像をダウンロードするかが利用者に選択されると、次回以降のダウンロードの際は、画面表示Ａにおいて、サムネイル画像のいずれかが選択された場合、携帯端末４０３の表示画面には、選択されたサムネイル画像に対応する携帯送信用画像の角丸画像を含む画面表示Ｄが、デフォルトで表示されるようになる。
【０２５５】
また、画面表示Ｄには、デフォルト変更ボタン５２９が設けられており、利用者によって、デフォルト変更ボタン５２９が選択されることで、画面表示Ｂが表示されるようになる。これにより、携帯送信用画像としてダウンロードする画像の形態を、改めて選択することが可能となる。
【０２５６】
さらに、利用者によって、デフォルト変更ボタン５２９が選択されることで、画面表示Ｂではなく、画面表示Ａにおいて選択されたサムネイル画像に対応する携帯送信用画像以外の、他の携帯送信用画像が表示されるようにしてもよい。
【０２５７】
なお、画面表示Ｄに表示される角丸画像５２８は、図２３の処理のように、一括して生成される５枚の角丸画像のうちの１枚であってもよいし、図２５の処理のように、画面表示Ａにおいて、サムネイル画像が選択される度に生成される１枚の角丸画像であってもよい。角丸画像が一括して生成される場合、そのタイミングは、画面表示Ａにおいて、いずれかのサムネイル画像が選択されたときでもよいし、画面表示Ａがされる前等、他のタイミングであってもよい。
【０２５８】
なお、以上においては、携帯送信用画像に対して角丸加工が施される例について説明してきたが、角丸加工以外の面取り加工が施されるようにしてももちろんよい。
【０２５９】
また、上述したような、画像に対する面取り加工は、写真シール作成装置１およびサーバ４０２のいずれか一方で行われるものとするが、写真シール作成装置１およびサーバ４０２の両方で行われるようにしてもよい。すなわち、加工処理部は、写真シール作成装置１およびサーバ４０２のいずれか一方に設けられるようにしてもよいし、写真シール作成装置１およびサーバ４０２の両方に設けられるようにしてもよい。
【０２６０】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２６１】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２６２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２６３】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２６４】
また、本発明の実施の形態は、上述した実施の形態に限定されるものではなく、本発明の要旨を逸脱しない範囲において種々の変更が可能である。
【符号の説明】
【０２６５】
１  写真シール作成装置
１１  撮影ユニット
１２  編集ユニット
２０１  制御部
２０８  撮影部
２０９  編集部
２１０  事後接客部
３０１  撮影処理部
３０２  編集処理部
３０３  印刷処理部
３０４  事後接客処理部
３０５  加工処理部
４０２  サーバ
４０３  携帯端末
４３１  データ管理部
４３２  ウェブページ提供部
４３３  加工処理部
【図１】
2015035773.tif 000003
【図２】
2015035773.tif 000004
【図３】
2015035773.tif 000005
【図４】
2015035773.tif 000006
【図５】
2015035773.tif 000007
【図６】
2015035773.tif 000008
【図７】
2015035773.tif 000009
【図８】
2015035773.tif 000010
【図９】
2015035773.tif 000011
【図１０】
2015035773.tif 000012
【図１１】
2015035773.tif 000013
【図１２】
2015035773.tif 000014
【図１３】
2015035773.tif 000015
【図１４】
2015035773.tif 000016
【図１５】
2015035773.tif 000017
【図１６】
2015035773.tif 000018
【図１７】
2015035773.tif 000019
【図１８】
2015035773.tif 000020
【図１９】
2015035773.tif 000021
【図２０】
2015035773.tif 000022
【図２１】
2015035773.tif 000023
【図２２】
2015035773.tif 000024
【図２３】
2015035773.tif 000025
【図２４】
2015035773.tif 000026
【図２５】
2015035773.tif 000027
【図２６】
2015035773.tif 000028
【図２７】
2015035773.tif 000029
【図２８】
2015035773.tif 000030
【手続補正書】
【提出日】平成25年9月20日(2013.9.20)
【手続補正１】
【補正対象書類名】明細書
【補正対象項目名】００１４
【補正方法】変更
【補正の内容】
【００１４】
本発明の第１の側面の画像提供システムは、ネットワークを介して画像を送信する画像送信装置と、前記画像送信装置から送信された前記画像を受信するサーバとからなる画像提供システムであって、前記画像送信装置が、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および／または前記編集済み画像を、前記サーバに送信する送信手段とを備え、前記サーバが、前記画像送信装置から送信された前記撮影画像および／または前記編集済み画像を受信する受信手段を備え、前記画像送信装置または前記サーバが、前記撮影画像および／または前記編集済み画像に対して面取り加工を施した面取り画像を生成する加工処理手段をさらに備える。
【手続補正２】
【補正対象書類名】特許請求の範囲
【補正対象項目名】請求項１
【補正方法】変更
【補正の内容】
【請求項１】
ネットワークを介して画像を送信する画像送信装置と、前記画像送信装置から送信された前記画像を受信するサーバとからなる画像提供システムであって、
前記画像送信装置は、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および／または前記編集済み画像を、前記サーバに送信する送信手段と
を備え、
前記サーバは、
前記画像送信装置から送信された前記撮影画像および／または前記編集済み画像を受
信する受信手段
を備え、
前記画像送信装置または前記サーバは、
前記撮影画像および／または前記編集済み画像に対して面取り加工を施した面取り画像を生成する加工処理手段をさらに備える
画像提供システム。
【手続補正書】
【提出日】平成25年12月24日(2013.12.24)
【手続補正１】
【補正対象書類名】明細書
【補正対象項目名】００１４
【補正方法】変更
【補正の内容】
【００１４】
本発明の第１の側面の画像提供システムは、ネットワークを介して画像を送信する画像送信装置と、前記画像送信装置から送信された前記画像を受信するサーバとからなる画像提供システムであって、前記画像送信装置が、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および／または前記編集済み画像を、前記サーバに送信する送信手段と、前記撮影画像および／または前記編集済み画像を、シール紙に印刷される印刷画像として印刷する印刷処理手段とを備え、前記サーバが、前記画像送信装置から送信された前記撮影画像および／または前記編集済み画像を受信する受信手段を備え、前記画像送信装置または前記サーバが、前記撮影画像および／または前記編集済み画像に対して面取り加工を施した面取り画像を生成する加工処理手段と、前記利用者に提供される画像を、前記面取り画像とするか、または、面取り加工が施される前の画像とするかを選択する選択手段とをさらに備える。
【手続補正２】
【補正対象書類名】明細書
【補正対象項目名】００１５
【補正方法】変更
【補正の内容】
【００１５】
本発明の第１の側面においては、利用者が被写体として撮影され、矩形形状の撮影画像が生成され、撮影画像に対して利用者に編集入力を行わせ、編集が施された編集済み画像が生成され、撮影画像および／または編集済み画像が、サーバに送信され、撮影画像および／または編集済み画像が、シール紙に印刷される印刷画像として印刷され、画像送信装置から送信された撮影画像および／または編集済み画像が受信され、撮影画像および／または編集済み画像に対して面取り加工を施した面取り画像が生成され、利用者に提供される画像を、面取り画像とするか、または、面取り加工が施される前の画像とするかが選択される。
【手続補正３】
【補正対象書類名】明細書
【補正対象項目名】００１６
【補正方法】変更
【補正の内容】
【００１６】
本発明の第２の側面の画像提供装置は、ネットワークを介して画像送信装置から送信された矩形形状の画像を受信し、携帯端末に提供する画像提供装置であって、前記画像送信装置から送信された前記画像を受信する受信手段と、受信された前記画像に対して面取り加工を施した面取り画像を生成する加工処理手段と、前記携帯端末からの要求に応じて、前記面取り画像を前記携帯端末に提供する提供手段と、前記携帯端末に提供される画像を、前記面取り画像とするか、または、面取り加工が施される前の画像とするかを選択する選択手段とを備える。
【手続補正４】
【補正対象書類名】明細書
【補正対象項目名】００２０
【補正方法】変更
【補正の内容】
【００２０】
本発明の第２の側面の画像提供方法は、ネットワークを介して画像送信装置から送信された矩形形状の画像を受信し、携帯端末に提供する画像提供装置の画像提供方法であって、前記画像送信装置から送信された前記画像を受信し、受信された前記画像に対して面取り加工を施した面取り画像を生成し、前記携帯端末からの要求に応じて、前記面取り画像を前記携帯端末に提供するステップを含み、前記ステップにおいては、前記携帯端末に提供される画像を、前記面取り画像とするか、または、面取り加工が施される前の画像とするかが選択される。
【手続補正５】
【補正対象書類名】明細書
【補正対象項目名】００２１
【補正方法】変更
【補正の内容】
【００２１】
本発明の第２の側面のプログラムは、ネットワークを介して画像送信装置から送信された矩形形状の画像を受信し、携帯端末に提供する処理を制御するコンピュータに、前記画像送信装置から送信された前記画像を受信し、受信された前記画像に対して面取り加工を施した面取り画像を生成し、前記携帯端末からの要求に応じて、前記面取り画像を前記携帯端末に提供するステップを含む処理を実行させ、前記ステップにおいては、前記携帯端末に提供される画像を、前記面取り画像とするか、または、面取り加工が施される前の画像とするかが選択される。
【手続補正６】
【補正対象書類名】明細書
【補正対象項目名】００２２
【補正方法】変更
【補正の内容】
【００２２】
本発明の第２の側面においては、画像送信装置から送信された画像が受信され、受信された画像に対して面取り加工を施した面取り画像が生成され、携帯端末からの要求に応じて、面取り画像が携帯端末に提供される。なお、携帯端末に提供される画像を、面取り画像とするか、または、面取り加工が施される前の画像とするかが選択される。
【手続補正７】
【補正対象書類名】明細書
【補正対象項目名】００２３
【補正方法】変更
【補正の内容】
【００２３】
本発明の第３の側面の画像生成装置は、ネットワークを介して受信した画像を携帯端末に提供するサーバに、前記画像を生成して送信する画像生成装置であって、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および前記編集済み画像の少なくともいずれかに対して面取り加工を施した面取り画像を生成する加工処理手段と、前記撮影画像、前記編集済み画像、および前記面取り画像の少なくともいずれかを、前記サーバに送信する送信手段と、前記撮影画像、前記編集済み画像、および前記面取り画像の少なくともいずれかを、シール紙に印刷される印刷画像として印刷する印刷処理手段と、前記利用者に提供される画像を、前記面取り画像とするか、または、面取り加工が施される前の画像とするかを選択する選択手段とを備える。
【手続補正８】
【補正対象書類名】明細書
【補正対象項目名】００２７
【補正方法】削除
【補正の内容】
【手続補正９】
【補正対象書類名】明細書
【補正対象項目名】００３０
【補正方法】変更
【補正の内容】
【００３０】
本発明の第３の側面の画像生成方法は、ネットワークを介して受信した画像を携帯端末に提供するサーバに、前記画像を生成して送信する画像生成装置の画像生成方法であって、利用者を被写体として撮影し、矩形形状の撮影画像を生成し、前記撮影画像に対して前記利用者に編集入力を行わせ、編集が施された編集済み画像を生成し、前記撮影画像および前記編集済み画像の少なくともいずれかに対して面取り加工を施した面取り画像を生成し、前記撮影画像、前記編集済み画像、および前記面取り画像の少なくともいずれかを、前記サーバに送信し、前記撮影画像、前記編集済み画像、および前記面取り画像の少なくともいずれかを、シール紙に印刷される印刷画像として印刷するステップを含み、前記ステップにおいては、前記携帯端末に提供される画像を、前記面取り画像とするか、または、面取り加工が施される前の画像とするかが選択される。
【手続補正１０】
【補正対象書類名】明細書
【補正対象項目名】００３１
【補正方法】変更
【補正の内容】
【００３１】
本発明の第３の側面のプログラムは、ネットワークを介して受信した画像を携帯端末に提供するサーバに、前記画像を生成して送信する処理を制御するコンピュータに、利用者を被写体として撮影し、矩形形状の撮影画像を生成し、前記撮影画像に対して前記利用者に編集入力を行わせ、編集が施された編集済み画像を生成し、前記撮影画像および前記編集済み画像の少なくともいずれかに対して面取り加工を施した面取り画像を生成し、前記撮影画像、前記編集済み画像、および前記面取り画像の少なくともいずれかを、前記サーバに送信し、前記撮影画像、前記編集済み画像、および前記面取り画像の少なくともいずれかを、シール紙に印刷される印刷画像として印刷するステップを含む処理を実行させ、前記ステップにおいては、前記携帯端末に提供される画像を、前記面取り画像とするか、または、面取り加工が施される前の画像とするかが選択される。
【手続補正１１】
【補正対象書類名】明細書
【補正対象項目名】００３２
【補正方法】変更
【補正の内容】
【００３２】
本発明の第３の側面においては、利用者が被写体として撮影され、矩形形状の撮影画像が生成され、撮影画像に対して利用者に編集入力を行わせ、編集が施された編集済み画像が生成され、撮影画像および編集済み画像の少なくともいずれかに対して面取り加工を施した面取り画像が生成され、撮影画像、編集済み画像、および面取り画像の少なくともいずれかが、サーバに送信し、撮影画像、編集済み画像、および面取り画像の少なくともいずれかが、シール紙に印刷される印刷画像として印刷される。なお、携帯端末に提供される画像を、面取り画像とするか、または、面取り加工が施される前の画像とするかが選択される。
【手続補正１２】
【補正対象書類名】特許請求の範囲
【補正対象項目名】全文
【補正方法】変更
【補正の内容】
【特許請求の範囲】
【請求項１】
ネットワークを介して画像を送信する画像送信装置と、前記画像送信装置から送信された前記画像を受信するサーバとからなる画像提供システムであって、
前記画像送信装置は、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および／または前記編集済み画像を、前記サーバに送信する送信手段と、
前記撮影画像および／または前記編集済み画像を、シール紙に印刷される印刷画像として印刷する印刷処理手段と
を備え、
前記サーバは、
前記画像送信装置から送信された前記撮影画像および／または前記編集済み画像を受信する受信手段
を備え、
前記画像送信装置または前記サーバは、
前記撮影画像および／または前記編集済み画像に対して面取り加工を施した面取り画像を生成する加工処理手段と、
前記利用者に提供される画像を、前記面取り画像とするか、または、面取り加工が施される前の画像とするかを選択する選択手段とをさらに備える
画像提供システム。
【請求項２】
ネットワークを介して画像送信装置から送信された矩形形状の画像を受信し、携帯端末に提供する画像提供装置であって、
前記画像送信装置から送信された前記画像を受信する受信手段と、
受信された前記画像に対して面取り加工を施した面取り画像を生成する加工処理手段と、
前記携帯端末からの要求に応じて、前記面取り画像を前記携帯端末に提供する提供手段と、
前記携帯端末に提供される画像を、前記面取り画像とするか、または、面取り加工が施される前の画像とするかを選択する選択手段と
を備える画像提供装置。
【請求項３】
前記加工処理手段は、複数の前記画像に対して面取り加工を施した複数の前記面取り画像を一括して生成する
請求項２に記載の画像提供装置。
【請求項４】
前記加工処理手段は、前記携帯端末からの要求の度に、前記画像に対して面取り加工を施した前記面取り画像を生成する
請求項２に記載の画像提供装置。
【請求項５】
前記提供手段は、前記携帯端末からの要求に応じて、前記面取り画像、および、面取り加工が施される前の前記画像のいずれかを前記携帯端末に提供する
請求項２乃至４のいずれかに記載の画像提供装置。
【請求項６】
ネットワークを介して画像送信装置から送信された矩形形状の画像を受信し、携帯端末に提供する画像提供装置の画像提供方法であって、
前記画像送信装置から送信された前記画像を受信し、
受信された前記画像に対して面取り加工を施した面取り画像を生成し、
前記携帯端末からの要求に応じて、前記面取り画像を前記携帯端末に提供する
ステップを含み、
前記ステップにおいては、前記携帯端末に提供される画像を、前記面取り画像とするか、または、面取り加工が施される前の画像とするかが選択される
画像提供方法。
【請求項７】
ネットワークを介して画像送信装置から送信された矩形形状の画像を受信し、携帯端末に提供する処理を制御するコンピュータに、
前記画像送信装置から送信された前記画像を受信し、
受信された前記画像に対して面取り加工を施した面取り画像を生成し、
前記携帯端末からの要求に応じて、前記面取り画像を前記携帯端末に提供する
ステップを含む処理を実行させ、
前記ステップにおいては、前記携帯端末に提供される画像を、前記面取り画像とするか、または、面取り加工が施される前の画像とするかが選択される
プログラム。
【請求項８】
ネットワークを介して受信した画像を携帯端末に提供するサーバに、前記画像を生成して送信する画像生成装置であって、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および前記編集済み画像の少なくともいずれかに対して面取り加工を施した面取り画像を生成する加工処理手段と、
前記撮影画像、前記編集済み画像、および前記面取り画像の少なくともいずれかを、前記サーバに送信する送信手段と、
前記撮影画像、前記編集済み画像、および前記面取り画像の少なくともいずれかを、シール紙に印刷される印刷画像として印刷する印刷処理手段と、
前記利用者に提供される画像を、前記面取り画像とするか、または、面取り加工が施される前の画像とするかを選択する選択手段と
を備える画像生成装置。
【請求項９】
前記加工処理手段は、複数の前記撮影画像または複数の前記編集済み画像に対して面取り加工を施した複数の前記面取り画像を一括して生成する
請求項８に記載の画像生成装置。
【請求項１０】
前記撮影処理手段は、撮影時に、前記撮影画像に対して面取り加工を施した前記面取り画像を動画像としてリアルタイムで表示する
請求項８または９に記載の画像生成装置。
【請求項１１】
前記編集処理手段は、編集入力時に、前記撮影画像に対して面取り加工を施した前記面取り画像を、編集入力の対象となる編集対象画像として表示する
請求項８または９に記載の画像生成装置。
【請求項１２】
前記加工処理手段は、前記面取り画像として、前記撮影画像または前記編集済み画像のサイズに応じた半径の角丸を有する角丸画像を生成する
請求項８乃至１１のいずれかに記載の画像生成装置。
【請求項１３】
前記加工処理手段は、前記面取り画像として、前記撮影画像または前記編集済み画像の縦横比に応じた半径の角丸を有する角丸画像を生成する
請求項１２に記載の画像生成装置。
【請求項１４】
ネットワークを介して受信した画像を携帯端末に提供するサーバに、前記画像を生成して送信する画像生成装置の画像生成方法であって、
利用者を被写体として撮影し、矩形形状の撮影画像を生成し、
前記撮影画像に対して前記利用者に編集入力を行わせ、編集が施された編集済み画像を生成し、
前記撮影画像および前記編集済み画像の少なくともいずれかに対して面取り加工を施した面取り画像を生成し、
前記撮影画像、前記編集済み画像、および前記面取り画像の少なくともいずれかを、前記サーバに送信し、
前記撮影画像、前記編集済み画像、および前記面取り画像の少なくともいずれかを、シール紙に印刷される印刷画像として印刷する
ステップを含み、
前記ステップにおいては、前記携帯端末に提供される画像を、前記面取り画像とするか、または、面取り加工が施される前の画像とするかが選択される
画像生成方法。
【請求項１５】
ネットワークを介して受信した画像を携帯端末に提供するサーバに、前記画像を生成して送信する処理を制御するコンピュータに、
利用者を被写体として撮影し、矩形形状の撮影画像を生成し、
前記撮影画像に対して前記利用者に編集入力を行わせ、編集が施された編集済み画像を生成し、
前記撮影画像および前記編集済み画像の少なくともいずれかに対して面取り加工を施した面取り画像を生成し、
前記撮影画像、前記編集済み画像、および前記面取り画像の少なくともいずれかを、前記サーバに送信し、
前記撮影画像、前記編集済み画像、および前記面取り画像の少なくともいずれかを、シール紙に印刷される印刷画像として印刷する
ステップを含む処理を実行させ、
前記ステップにおいては、前記携帯端末に提供される画像を、前記面取り画像とするか、または、面取り加工が施される前の画像とするかが選択される
プログラム。
【手続補正書】
【提出日】平成26年8月8日(2014.8.8)
【手続補正２】
【補正対象書類名】明細書
【補正対象項目名】０００１
【補正方法】変更
【補正の内容】
【０００１】
本発明は、画像提供システム、画像提供装置および方法、並びにプログラムに関し、特に、画像の見た目の印象を良くすることができるようにする画像提供システム、画像提供装置および方法、並びにプログラムに関する。
【手続補正３】
【補正対象書類名】明細書
【補正対象項目名】００１４
【補正方法】変更
【補正の内容】
【００１４】
本発明の第１の側面の画像提供システムは、ネットワークを介して画像を送信する写真シール作成装置と、前記画像送信装置から送信された前記画像を受信し、携帯端末に提供するサーバとからなる画像提供システムであって、前記写真シール作成装置が、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および／または前記編集済み画像を、携帯送信用画像として前記サーバに送信する送信手段と、前記撮影画像および／または前記編集済み画像を、シール紙に印刷される印刷画像として印刷する印刷処理手段とを備え、前記サーバが、前記写真シール作成装置から送信された前記携帯送信用画像を受信する受信手段と、前記携帯端末からの選択の要求に応じて、前記携帯端末に提供される画像を、矩形形状でない前記面取り画像とするか、または、面取り加工が施される前の矩形形状の画像とするかを選択する選択手段と、前記携帯端末に提供される画像を前記面取り画像とすることが選択され、かつ、前記携帯送信用画像の送信元が特定の機種の写真シール作成装置である場合、前記携帯送信用画像に対して面取り加工を施した面取り画像を生成する加工処理手段と、生成された前記面取り画像を前記携帯端末に提供する提供手段とを備える。
【手続補正４】
【補正対象書類名】明細書
【補正対象項目名】００１５
【補正方法】変更
【補正の内容】
【００１５】
本発明の第１の側面においては、利用者が被写体として撮影され、矩形形状の撮影画像が生成され、撮影画像に対して利用者に編集入力を行わせ、編集が施された編集済み画像が生成され、撮影画像および／または編集済み画像が、携帯送信用画像としてサーバに送信され、撮影画像および／または編集済み画像が、シール紙に印刷される印刷画像として印刷され、写真シール作成装置から送信された携帯送信用画像が受信され、携帯端末からの選択の要求に応じて、携帯端末に提供される画像を、矩形形状でない面取り画像とするか、または、面取り加工が施される前の矩形形状の画像とするかが選択され、携帯端末に提供される画像を面取り画像とすることが選択され、かつ、携帯送信用画像の送信元が特定の機種の写真シール作成装置である場合、携帯送信用画像に対して面取り加工を施した面取り画像が生成され、生成された面取り画像が携帯端末に提供される。
【手続補正５】
【補正対象書類名】明細書
【補正対象項目名】００１６
【補正方法】変更
【補正の内容】
【００１６】
本発明の第２の側面の画像提供装置は、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置であって、前記写真シール作成装置から送信された前記携帯送信用画像を受信する受信手段と、前記携帯端末からの選択の要求に応じて、前記携帯端末に提供される画像を、矩形形状でない前記面取り画像とするか、または、面取り加工が施される前の矩形形状の画像とするかを選択する選択手段と、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成する加工処理手段と、生成された前記面取り画像を前記携帯端末に提供する提供手段とを備える。
【手続補正６】
【補正対象書類名】明細書
【補正対象項目名】００１７
【補正方法】変更
【補正の内容】
【００１７】
前記加工処理手段には、複数の前記携帯送信用画像に対して面取り加工を施した複数の前記面取り画像を一括して生成させることができる。
【手続補正７】
【補正対象書類名】明細書
【補正対象項目名】００１８
【補正方法】変更
【補正の内容】
【００１８】
前記加工処理手段には、前記携帯端末からの要求の度に、前記携帯送信用画像に対して面取り加工を施した前記面取り画像を生成させることができる。
【手続補正８】
【補正対象書類名】明細書
【補正対象項目名】００２０
【補正方法】変更
【補正の内容】
【００２０】
本発明の第２の側面の画像提供方法は、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置の画像提供方法であって、前記写真シール作成装置から送信された前記携帯送信用画像を受信し、前記携帯端末からの選択の要求に応じて、前記携帯端末に提供される画像を、矩形形状でない前記面取り画像とするか、または、面取り加工が施される前の矩形形状の画像とするかを選択し、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成し、生成された前記面取り画像を前記携帯端末に提供するステップを含む。
【手続補正９】
【補正対象書類名】明細書
【補正対象項目名】００２１
【補正方法】変更
【補正の内容】
【００２１】
本発明の第２の側面のプログラムは、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する処理を制御するコンピュータに、前記写真シール作成装置から送信された前記携帯送信用画像を受信し、前記携帯端末からの選択の要求に応じて、前記携帯端末に提供される画像を、矩形形状でない前記面取り画像とするか、または、面取り加工が施される前の矩形形状の画像とするかを選択し、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成し、生成された前記面取り画像を前記携帯端末に提供するステップを含む処理を実行させる。
【手続補正１０】
【補正対象書類名】明細書
【補正対象項目名】００２２
【補正方法】変更
【補正の内容】
【００２２】
本発明の第２の側面においては、利用者を被写体として撮影し、矩形形状の撮影画像を生成し、撮影画像に対して利用者に編集入力を行わせ、編集が施された編集済み画像を生成し、撮影画像および／または編集済み画像を、携帯送信用画像として送信する写真シール作成装置から送信された携帯送信用画像が受信され、携帯端末からの選択の要求に応じて、携帯端末に提供される画像を、矩形形状でない面取り画像とするか、または、面取り加工が施される前の矩形形状の画像とするかが選択され、携帯端末に提供される画像を面取り画像とすることが選択され、かつ、携帯送信用画像の送信元が特定の機種の写真シール作成装置である場合、受信された携帯送信用画像に対して面取り加工を施した面取り画像が生成され、生成された面取り画像が携帯端末に提供される。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】特許請求の範囲
【補正対象項目名】全文
【補正方法】変更
【補正の内容】
【特許請求の範囲】
【請求項１】
ネットワークを介して画像を送信する写真シール作成装置と、前記画像送信装置から送信された前記画像を受信し、携帯端末に提供するサーバとからなる画像提供システムであって、
前記写真シール作成装置は、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および／または前記編集済み画像を、携帯送信用画像として前記サーバに送信する送信手段と、
前記撮影画像および／または前記編集済み画像を、シール紙に印刷される印刷画像として印刷する印刷処理手段と
を備え、
前記サーバは、
前記写真シール作成装置から送信された前記携帯送信用画像を受信する受信手段と、
前記携帯端末からの選択の要求に応じて、前記携帯端末に提供される画像を、矩形形状でない前記面取り画像とするか、または、面取り加工が施される前の矩形形状の画像とするかを選択する選択手段と、
前記携帯端末に提供される画像を前記面取り画像とすることが選択され、かつ、前記携帯送信用画像の送信元が特定の機種の写真シール作成装置である場合、前記携帯送信用画像に対して面取り加工を施した面取り画像を生成する加工処理手段と、
生成された前記面取り画像を前記携帯端末に提供する提供手段と
を備える画像提供システム。
【請求項２】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置であって、
前記写真シール作成装置から送信された前記携帯送信用画像を受信する受信手段と、
前記携帯端末からの選択の要求に応じて、前記携帯端末に提供される画像を、矩形形状でない前記面取り画像とするか、または、面取り加工が施される前の矩形形状の画像とするかを選択する選択手段と、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成する加工処理手段と、
生成された前記面取り画像を前記携帯端末に提供する提供手段と
を備える画像提供装置。
【請求項３】
前記加工処理手段は、複数の前記画像に対して面取り加工を施した複数の前記面取り画像を一括して生成する
請求項２に記載の画像提供装置。
【請求項４】
前記加工処理手段は、前記携帯端末からの要求の度に、前記画像に対して面取り加工を施した前記面取り画像を生成する
請求項２に記載の画像提供装置。
【請求項５】
前記提供手段は、前記携帯端末からの要求に応じて、前記面取り画像、および、面取り加工が施される前の前記画像のいずれかを前記携帯端末に提供する
請求項２乃至４のいずれかに記載の画像提供装置。
【請求項６】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置の画像提供方法であって、
前記写真シール作成装置から送信された前記携帯送信用画像を受信し、
前記携帯端末からの選択の要求に応じて、前記携帯端末に提供される画像を、矩形形状でない前記面取り画像とするか、または、面取り加工が施される前の矩形形状の画像とするかを選択し、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成し、
生成された前記面取り画像を前記携帯端末に提供する
ステップを含む画像提供方法。
【請求項７】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する処理を制御するコンピュータに、
前記写真シール作成装置から送信された前記携帯送信用画像を受信し、
前記携帯端末からの選択の要求に応じて、前記携帯端末に提供される画像を、矩形形状でない前記面取り画像とするか、または、面取り加工が施される前の矩形形状の画像とするかを選択し、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した面取り画像を生成し、
生成された前記面取り画像を前記携帯端末に提供する
ステップを含む処理を実行させるプログラム。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
ネットワークを介して画像を送信する写真シール作成装置と、前記写真シール作成装置から送信された前記画像を受信し、携帯端末に提供するサーバとからなる画像提供システムであって、
前記写真シール作成装置は、
利用者を被写体として撮影し、矩形形状の撮影画像を生成する撮影処理手段と、
前記撮影画像に対して前記利用者に編集入力を行わせ、編集が施された編集済み画像を生成する編集処理手段と、
前記撮影画像および／または前記編集済み画像を、携帯送信用画像として前記サーバに送信する送信手段と、
前記撮影画像および／または前記編集済み画像を、シール紙に印刷される印刷画像として印刷する印刷処理手段と
を備え、
前記サーバは、
前記写真シール作成装置から送信された前記携帯送信用画像を受信する受信手段と、
前記携帯端末からの選択の要求に応じて、前記携帯端末に提供される画像を、矩形形状でない面取り画像とするか、または、面取り加工が施される前の矩形形状の画像とするかを選択する選択手段と、
前記携帯端末に提供される画像を前記面取り画像とすることが選択され、かつ、前記携帯送信用画像の送信元が特定の機種の写真シール作成装置である場合、前記携帯送信用画像に対して面取り加工を施した前記面取り画像を生成する加工処理手段と、
生成された前記面取り画像を前記携帯端末に提供する提供手段と
を備える画像提供システム。
【請求項２】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置であって、
前記写真シール作成装置から送信された前記携帯送信用画像を受信する受信手段と、
前記携帯端末からの選択の要求に応じて、前記携帯端末に提供される画像を、矩形形状でない面取り画像とするか、または、面取り加工が施される前の矩形形状の画像とするかを選択する選択手段と、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成する加工処理手段と、
生成された前記面取り画像を前記携帯端末に提供する提供手段と
を備える画像提供装置。
【請求項３】
前記加工処理手段は、複数の前記画像に対して面取り加工を施した複数の前記面取り画像を一括して生成する
請求項２に記載の画像提供装置。
【請求項４】
前記加工処理手段は、前記携帯端末からの要求の度に、前記画像に対して面取り加工を施した前記面取り画像を生成する
請求項２に記載の画像提供装置。
【請求項５】
前記提供手段は、前記携帯端末からの要求に応じて、前記面取り画像、および、面取り加工が施される前の前記画像のいずれかを前記携帯端末に提供する
請求項２乃至４のいずれかに記載の画像提供装置。
【請求項６】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置の画像提供方法であって、
前記写真シール作成装置から送信された前記携帯送信用画像を受信し、
前記携帯端末からの選択の要求に応じて、前記携帯端末に提供される画像を、矩形形状でない面取り画像とするか、または、面取り加工が施される前の矩形形状の画像とするかを選択し、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成し、
生成された前記面取り画像を前記携帯端末に提供する
ステップを含む画像提供方法。
【請求項７】
利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する処理を制御するコンピュータに、
前記写真シール作成装置から送信された前記携帯送信用画像を受信し、
前記携帯端末からの選択の要求に応じて、前記携帯端末に提供される画像を、矩形形状でない面取り画像とするか、または、面取り加工が施される前の矩形形状の画像とするかを選択し、
前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成し、
生成された前記面取り画像を前記携帯端末に提供する
ステップを含む処理を実行させるプログラム。
【手続補正２】
【補正対象書類名】明細書
【補正対象項目名】００１４
【補正方法】変更
【補正の内容】
【００１４】
本発明の第１の側面の画像提供システムは、ネットワークを介して画像を送信する写真シール作成装置と、前記写真シール作成装置から送信された前記画像を受信し、携帯端末に提供するサーバとからなる画像提供システムであって、前記写真シール作成装置が、利用者を被写体として撮影し、矩形形状の撮影画像を生成する撮影処理手段と、前記撮影画像に対して前記利用者に編集入力を行わせ、編集が施された編集済み画像を生成する編集処理手段と、前記撮影画像および／または前記編集済み画像を、携帯送信用画像として前記サーバに送信する送信手段と、前記撮影画像および／または前記編集済み画像を、シール紙に印刷される印刷画像として印刷する印刷処理手段とを備え、前記サーバが、前記写真シール作成装置から送信された前記携帯送信用画像を受信する受信手段と、前記携帯端末からの選択の要求に応じて、前記携帯端末に提供される画像を、矩形形状でない面取り画像とするか、または、面取り加工が施される前の矩形形状の画像とするかを選択する選択手段と、前記携帯端末に提供される画像を前記面取り画像とすることが選択され、かつ、前記携帯送信用画像の送信元が特定の機種の写真シール作成装置である場合、前記携帯送信用画像に対して面取り加工を施した前記面取り画像を生成する加工処理手段と、生成された前記面取り画像を前記携帯端末に提供する提供手段とを備える。
【手続補正３】
【補正対象書類名】明細書
【補正対象項目名】００１６
【補正方法】変更
【補正の内容】
【００１６】
本発明の第２の側面の画像提供装置は、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置であって、前記写真シール作成装置から送信された前記携帯送信用画像を受信する受信手段と、前記携帯端末からの選択の要求に応じて、前記携帯端末に提供される画像を、矩形形状でない面取り画像とするか、または、面取り加工が施される前の矩形形状の画像とするかを選択する選択手段と、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成する加工処理手段と、生成された前記面取り画像を前記携帯端末に提供する提供手段とを備える。
【手続補正４】
【補正対象書類名】明細書
【補正対象項目名】００２０
【補正方法】変更
【補正の内容】
【００２０】
本発明の第２の側面の画像提供方法は、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する画像提供装置の画像提供方法であって、前記写真シール作成装置から送信された前記携帯送信用画像を受信し、前記携帯端末からの選択の要求に応じて、前記携帯端末に提供される画像を、矩形形状でない面取り画像とするか、または、面取り加工が施される前の矩形形状の画像とするかを選択し、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成し、生成された前記面取り画像を前記携帯端末に提供するステップを含む。
【手続補正５】
【補正対象書類名】明細書
【補正対象項目名】００２１
【補正方法】変更
【補正の内容】
【００２１】
本発明の第２の側面のプログラムは、利用者を被写体として撮影し、矩形形状の撮影画像を生成し、前記撮影画像に対して前記利用者に編集入力を行わせ、編集が施された編集済み画像を生成し、前記撮影画像および／または前記編集済み画像を、携帯送信用画像として送信する写真シール作成装置から送信された前記携帯送信用画像を受信し、携帯端末に提供する処理を制御するコンピュータに、前記写真シール作成装置から送信された前記携帯送信用画像を受信し、前記携帯端末からの選択の要求に応じて、前記携帯端末に提供される画像を、矩形形状でない面取り画像とするか、または、面取り加工が施される前の矩形形状の画像とするかを選択し、前記携帯端末に提供される画像を前記面取り画像とすることが選択され、かつ、前記携帯送信用画像の送信元が特定の機種の写真シール作成装置である場合、受信された前記携帯送信用画像に対して面取り加工を施した前記面取り画像を生成し、生成された前記面取り画像を前記携帯端末に提供するステップを含む処理を実行させる。